(57)【要約】  一実施例によれば、加入者局は、無線通信ネットワークで１つ以上の基地局と通信をするように構成される。加入者局は、加入者局とともに調整されたマルチポイント（ＣｏＭＰ）送信のための候補者である１つ以上のＴＰと関連した情報をネットワークから受信し、１つ以上のＴＰそれぞれに対する複数のチャネル品質値を測定し、ネットワークに測定されたチャネル品質値を報告するように構成される。
2014534667.tif 000002
【特許請求の範囲】
【請求項１】
無線通信ネットワークで使用のために、加入者局は、１つ以上の基地局と複数の送信ポイント（ＴＰ）を通じて通信するように構成され、
前記加入者局は：
前記加入者局とともに調整されたマルチポイント（ＣｏＭＰ）送信のための候補者である１つ以上のＴＰと関連した情報を前記ネットワークから受信し、
前記１つ以上のＴＰそれぞれに対する複数のチャネル品質値を測定し、
前記無線通信ネットワークに前記測定されたチャネル品質値を報告するように構成されることを特徴とする加入者局。
【請求項２】
前記加入者局は、共通基準信号（ＣＲＳ）及びチャネル状態情報基準信号（ＣＳＩ−ＲＳ）に基づいてチャネル品質値を同時に測定するように構成されることを特徴とする請求項１に記載の加入者局。
【請求項３】
前記受信された情報は、前記加入者局が測定と報告をするように要求される前記ＴＰを含むことを特徴とする請求項１に記載の加入者局。
【請求項４】
前記加入者局は、前記加入者局が測定と報告をするように許容されない複数の第２ＴＰと関連した追加情報を前記ネットワークから受信するように追加に構成されることを特徴とする請求項３に記載の加入者局。
【請求項５】
それぞれの測定客体が少なくとも１つのＴＰと関連した情報を含む複数の測定客体、及び他の測定客体に含まれた報告構成から独立的な報告構成にある前記受信された情報は体系化されることを特徴とする請求項１に記載の加入者局。
【請求項６】
前記加入者局は、第１ＴＰの前記測定されたチャネル品質値が基準ＴＰ値を超過して増加するか、その未満に減少するとき、前記第１ＴＰのチャネル品質値を報告するように構成されることを特徴とする請求項１に記載の加入者局。
【請求項７】
前記測定されたチャネル品質値が前記基準ＴＰ値を超過して増加するとき、前記測定されたチャネル品質値は、Ｍｃｐ−Ｈｙｓ＞Ｍｒｐ＋Ｏｆｆによって表示され、
前記測定されたチャネル品質値が前記基準ＴＰ値未満に減少するとき、前記測定されたチャネル品質値は、Ｍｃｐ＋Ｈｙｓ＜ＭＭｒｐ＋Ｏｆｆによって表示され、
ここで、Ｍｃｐは、ＴＰの測定結果であり、Ｍｒｐは、任意オフセットを考慮しない前記基準ＴＰの測定結果であり、Ｈｙｓは、前記測定のためのヒステリシスパラメータであり、Ｏｆｆは、前記測定のためのオフセットパラメータであることを特徴とする請求項６に記載の加入者局。
【請求項８】
前記加入者局は、第１ＴＰの測定されたチャネル品質値が特定限界値を超過するとき、前記第１ＴＰのチャネル品質値を報告するように構成されることを特徴とする請求項１に記載の加入者局。
【請求項９】
前記測定されたチャネル品質値が前記限界値を超過して増加するとき、前記測定されたチャネル品質値は、Ｍｃｐ＋Ｏｐｃｐ−Ｈｙｓ＞Ｍｒｐ＋Ｏｐｒｐ＋Ｏｆｆで表示され、
前記測定されたチャネル品質値が前記限界値未満に減少するとき、前記測定されたチャネル品質値は、Ｍｃｐ＋Ｏｐｃｐ＋Ｈｙｓ＜Ｍｒｐ＋Ｏｐｒｐ＋Ｏｆｆで表示され、
ここで、Ｍｃｐは、前記ＴＰの前記測定結果であり、Ｏｐｃｐは、前記ＴＰのＴＰ特定オフセットであり、Ｍｒｐは、任意のオフセットを考慮しない基準ＴＰの前記測定チャネル品質値であり、Ｏｐｒｐは、前記基準ＴＰの前記ＴＰ特定オフセットであり、Ｈｙｓは、前記測定に対するヒステリシスパラメータであり、Ｏｆｆは、前記測定に対するオフセットパラメータであることを特徴とする請求項８に記載の加入者局。
【請求項１０】
前記ＴＰが１−ポートＴＰまたは２−ポートＴＰであるか否かによってそれぞれのＴＰに対する前記測定されたチャネル品質値を調整するように追加に構成されることを特徴とする請求項１に記載の加入者局。
【請求項１１】
無線通信ネットワークで使用のために、複数の送信ポイント（ＴＰ）を通じて１つ以上の基地局と通信するために、
加入者局とともに調整されたマルチポイント（ＣｏＭＰ）送信のための候補者である１つ以上のＴＰと関連した情報をネットワークから受信する段階と；
１つ以上のＴＰそれぞれに対する複数のチャネル品質値を測定する段階と；
前記ネットワークに前記測定されたチャネル品質値を報告する段階と;を含むことを特徴とする１つ以上の基地局と通信するための方法。
【請求項１２】
共通基準信号（ＣＲＳ）及びチャネル状態情報基準信号（ＣＳＩ−ＲＳ）に基づいてチャネル品質値を同時に測定する段階をさらに含むことを特徴とする請求項１１に記載の方法。
【請求項１３】
前記受信された情報は、測定し、報告するように要求される前記ＴＰを含むことを特徴とする請求項１１に記載の方法。
【請求項１４】
測定され、報告されない複数の第２ＴＰと連関された追加情報を前記ネットワークから受信する段階をさらに含むことを特徴とする請求項１３に記載の方法。
【請求項１５】
それぞれの測定客体が少なくとも１つのＴＰと関連した情報を含む複数の測定客体、及び他の測定客体に含まれた報告構成から独立的な報告構成にある前記情報を体系化する段階をさらに含むことを特徴とする請求項１１に記載の方法。
【請求項１６】
第１ＴＰの前記測定されたチャネル品質値が基準ＴＰ値を超過して増加するかまたはその未満に減少するとき、前記第１ＴＰの前記チャネル品質値を報告する段階をさらに含むことを特徴とする請求項１１に記載の方法。
【請求項１７】
前記測定されたチャネル品質値が前記基準ＴＰ値を超過して増加するとき、前記測定されたチャネル品質値は、Ｍｃｐ−Ｈｙｓ＞Ｍｒｐ＋Ｏｆｆで表示され、
前記測定されたチャネル品質値が前記基準ＴＰ値未満に減少するとき、前記測定されたチャネル品質値は、Ｍｃｐ＋ＨｙｓＭ＜Ｍｒｐ＋Ｏｆｆで表示され、
ここで、Ｍｃｐは、前記ＴＰの前記測定結果であり、Ｍｒｐは、任意のオフセットを考慮しない前記基準ＴＰの測定結果であり、Ｈｙｓは、前記測定のためのヒステリシスパラメータであり、Ｏｆｆは、前記測定のためのオフセットパラメータであることを特徴とする請求項１６に記載の方法。
【請求項１８】
第１ＴＰの前記測定されたチャネル品質値が特定限界値を超過するとき、前記第１ＴＰの前記チャネル品質値を報告する段階をさらに含むことを特徴とする請求項１１に記載の方法。
【請求項１９】
前記ＴＰが１−ポートＴＰまたは２−ポートＴＰであるか否かによってそれぞれのＴＰに対する前記測定されたチャネル品質値を調整する段階をさらに含むことを特徴とする請求項１１に記載の方法。
【請求項２０】
無線通信ネットワークで使用のために、複数の送信ポイント（ＴＰ）を通じて１つ以上の加入者局と通信するように構成される基地局であって、
前記基地局は：
前記加入者局によって測定された複数の候補ＴＰと連関されたチャネル品質値、前記無線通信ネットワークから前記加入者局によって受信された前記候補ＴＰと連関された情報を前記加入者局のうち１つから受信し；
前記受信されたチャネル品質値を使用してＣｏＭＰ伝送のための２つ以上のＴＰを決定し；
前記決定されたＴＰを使用して前記１つの加入者局とともにＣｏＭＰ伝送を設定するように構成されることを特徴とする基地局。
【請求項２１】
前記基地局は、前記決定されたＴＰのうち少なくとも１つを管理する他の基地局を使用して前記１つの加入者局とともにＣｏＭＰ伝送を設定するように追加に構成されることを特徴とする請求項２０に記載の基地局。
【発明の詳細な説明】
【技術分野】
【０００１】
本発明は、一般的に無線通信に関し、より詳細には、無線通信ネットワークで調整されたマルチポイント（ｃｏｏｒｄｉｎａｔｅｄ  ｍｕｌｔｉ−ｐｏｉｎｔ）送信及び受信に関する。
【背景技術】
【０００２】
無線通信ネットワークで、多数のセル及び基地局（また、“ｅＮＢ”という）は、多数の伝送アンテナを使用してそれらのそれぞれのユーザ装置（ＵＥ）へのプリコーディング伝送のための周波数帯域及び標準化されたコードブックを使用する。
【発明の概要】
【発明が解決しようとする課題】
【０００３】
このような手続の典型的な問題は、いくつかのセルまたは基地局がそれぞれの他の信号と干渉をしながら意図したＵＥにサービスを提供する所で発生する。このシナリオは、“セル間の干渉（ｉｎｔｅｒ−ｃｅｌｌ  ｉｎｔｅｒｆｅｒｅｎｃｅ）”という。セル間の干渉は、無線ネットワークの処理量を制限する。
【課題を解決するための手段】
【０００４】
無線通信ネットワークで使用のために、加入者局（ｓｕｂｓｃｒｉｂｅｒ  ｓｔａｔｉｏｎ）は、１つ以上の基地局と複数の送信ポイント（ｔｒａｎｓｍｉｓｓｉｏｎ  ｐｏｉｎｔ、ＴＰ）を通じて通信するように構成され、この加入者局は、加入者局とともに調整されたマルチポイント（ｃｏｏｒｄｉｎａｔｅｄ  ｍｕｌｔｉｐｏｉｎｔ、ＣｏＭＰ）送信のための候補者である１つ以上のＴＰと関連した情報をネットワークから受信し、１つ以上のＴＰそれぞれに対する複数のチャネル品質値（ｃｈａｎｎｅｌ  ｑｕａｌｉｔｙ  ｖａｌｕｅ）を測定し、測定されたチャネル品質値をネットワークに報告するように構成される。
【０００５】
無線通信ネットワークで使用のために、複数の送信ポイント（ＴＰ）を通じて１つ以上の基地局と通信するために、方法は、加入者局とともに調整されたマルチポイント（ＣｏＭＰ）送信のための候補者である１つ以上のＴＰと関連した情報をネットワークから受信する段階と；１つ以上のＴＰそれぞれに対する複数のチャネル品質値を測定する段階と；測定されたチャネル品質値をネットワークに報告する段階と；を含む。
【０００６】
無線通信ネットワークで使用のために、基地局は、複数の送信ポイント（ＴＰ）を通じて１つ以上の加入者局と通信するように構成され、基地局は、加入者局によって測定された複数の候補ＴＰと関連したチャネル品質値、及びネットワークから加入者局によって受信された候補ＴＰと関連した情報を加入者局のうち１つの加入者局から受信し；受信されたチャネル品質値を使用してＣｏＭＰ送信のための２つ以上のＴＰを決定し；決定されたＴＰを使用して１つの加入者局とともにＣｏＭＰ送信を設定するように構成される。
【０００７】
本発明の１つの例示的実施例によれば、加入者局は、１つ以上のＴＰそれぞれに対する複数のチャネル品質値を測定し、測定されたチャネル品質値をネットワークに報告する。本発明の１つの例示的実施例によれば、基地局は、受信されたチャネル品質値を使用してＣｏＭＰ送信のための２つ以上のＴＰを決定し；決定されたＴＰを使用して１つの加入者局とともにＣｏＭＰ送信を設定する。
【図面の簡単な説明】
【０００８】
本発明及びその長所のさらに完全な理解のために、以下、類似の参照番号が類似の部品を示す添付の図面とともに次の説明が参照される。
【図１】図１は、本発明の実施例による例示的な無線ネットワークを示す。
【図２Ａ】図２Ａは、本発明の実施例による無線送信経路のハイ−レベルダイヤグラムである。
【図２Ｂ】図２Ｂは、本発明の実施例による無線受信経路のハイ−レベルダイヤグラムである。
【図３】図３は、本発明の実施例による加入者局を示す。
【図４Ａ】図４Ａは、本発明の実施例による例示的なネットワークを示す。
【図４Ｂ】図４Ｂは、本発明の実施例による例示的なネットワークを示す。
【図４Ｃ】図４Ｃは、本発明の実施例による例示的なネットワークを示す。
【図５】図５は、調整されたマルチポイント（ＣｏＭＰ）測定集合がどんなに本発明の実施例によって基地局のネットワークによって管理されたタイプ−２の無線資源管理（Ｔｙｐｅ−２  ｒａｄｉｏ  ｒｅｓｏｕｒｃｅ  ｍａｎａｇｅｍｅｎｔ、ＲＲＭ）測定集合から生成されるかを示す例示的なネットワークを示す。
【図６】図６は、調整されたマルチポイント（ＣｏＭＰ）測定集合がどんなに本発明の実施例によって基地局のネットワークによって管理された１つ以上のタイプ−２無線資源管理（ＲＲＭ）測定集合から生成されるかを示す他の例示的なネットワークを示す。
【図７】図７は、ＣｏＭＰ測定集合及びＣｏＭＰ協力集合がどんなに本発明の実施例によって多数の基地局によって管理された１つ以上のタイプ−２無線資源管理（ＲＲＭ）測定集合から生成されるかを示す他の例示的なネットワークを示す。
【図８】図８は、異なるオフセット値を有する多数のイベントがどんなに本発明の実施例によって構成されることができるかを示す例示的な測定客体（ｍｅａｓｕｒｅｍｅｎｔ  ｏｂｊｅｃｔ）を示す。
【図９】図９は、本発明の実施例によってユーザ装置（ＵＥ）の例示的な受信範囲を示す。
【図１０】図１０は、多数のＣｏＭＰ運営集合がどんなに本発明の実施例によって異なる目的のために使用されることができるかを示す例示的なネットワークを示す。
【図１１】図１１は、無線通信ネットワークで調整されたマルチポイント（ＣｏＭＰ）伝送のためのプロセスの一例を示す。
【発明を実施するための形態】
【０００９】
一実施例によれば、無線通信ネットワークで１つ以上の基地局と通信するように構成された加入者局が提供される。加入者局は、加入者局とともに調整されたマルチポイント（ＣｏＭＰ）送信のための候補者である１つ以上の送信ポイント（ＴＰ）と関連した情報をネットワークから受信し、１つ以上のＴＰそれぞれに対する複数のチャネル品質値を測定し、測定されたチャネル品質値をネットワークに報告するように構成される。
【００１０】
他の実施例によれば、無線通信ネットワークで１つ以上の基地局と通信するための方法が提供される。方法は、加入者局とともに調整されたマルチポイント（ＣｏＭＰ）伝送のための候補者である１つ以上の送信ポイント（ＴＰ）と関連した情報をネットワークから受信する段階と；１つ以上のＴＰそれぞれに対する複数のチャネル品質値を測定する段階と；測定されたチャネル品質値をネットワークに報告する段階と；を含む。
【００１１】
他の実施例によれば、無線通信ネットワークで複数の送信ポイント（ＴＰ）を通じて１つ以上の加入者局と通信するように構成された基地局が提供される。基地局は、加入者局によって測定された複数の候補ＴＰと関連したチャネル品質値、及びネットワークから加入者局によって受信された候補ＴＰと関連した情報を加入者局のうち１つから受信し；受信されたチャネル品質値を使用してＣｏＭＰ送信のための２つ以上のＴＰを決定し；決定されたＴＰを使用して１つの加入者局とともにＣｏＭＰ送信を設定するように構成される。
【００１２】
下記の詳細な説明を開始する前に、この特許文書にわたって使用されるいくつかの単語と句節の定義を提示することが有利することができる：用語“含む（ｉｎｃｌｕｄｅ）”及び“含む（ＣｏＭＰｒｉｓｅ）”だけでなく、そのの派生語は、制限がない含むを意味し；用語“または、”は、包括的であり、及び／またはを意味し、句節“〜と連関された（ａｓｓｏｃｉａｔｅｄ  ｗｉｔｈ）”及び“これと連関された（ａｓｓｏｃｉａｔｅｄ  ｔｈｅｒｅｗｉｔｈ）”だけでなく、その派生語を含み、〜内に含まれ、〜と相互連結し、含有し、〜内に含有され、〜にまたは〜と連結され、〜にまたは〜とカップリングされ、〜と通信することができ、〜と協力し、インタリーブ（ｉｎｔｅｒｌｅａｖｅ）し、〜に並んで並列になり、〜に近接し、〜にまたは〜と結合され、〜の所有権を有し、などを意味することができ；用語“制御機”は、任意の装置、システム、または少なくとも１つの動作を制御するその部分を意味し、このような装置、システムまたは部分は、ファームウェアまたはソフトウェアによってプログラミングされることができるハードウェアで実行されることができる。任意の特定制御機と関連した機能は、局所的または遠隔的に中央集中化または分散化されることができることを注目しなければならない。いくつかの単語及び句節に対する定義がこの特許文書にわたって提供され、本技術分野における通常の技術者は、大部分の場合ではなければ、多くの場合に、このような定義がこのような定義された単語と句節の以前だけでなく、未来の使用に適用されることを理解しなければならない。
【００１３】
下記で論議される図１〜図１１及びこの特許文書で本発明の原理を説明するために使用された多様な実施例は、ただ説明のためのものであり、発明の範囲を制限するためのものと解釈してはならない。本技術分野の技術者は、本発明の原理が任意の適切に配列された無線通信システムで実行されることができることを理解することができる。
【００１４】
下記の文書と標準の説明は、これによってここで完全に提示されたもののように本発明に含まれる：（Ｉ）ＲＥＦ１−ＲＰ−１０１４２５（以下、”ＲＥＦ１”）；及びＲ１−１１２８５１−３ＧＰＰ技術規格番号３６．８１９、バージョン１．１．０（２０１１−０８）（以下、“ ＲＥＦ２”）。
【００１５】
図１は、本発明の実施例による例示的な無線ネットワーク１００を示す。図１に示された無線ネットワーク１００の実施例は、ただ説明のためのものである。無線ネットワーク１００の他の実施例が本発明の範囲を逸脱することなく使用されることができる。
【００１６】
無線ネットワーク１００は、ｅＮｏｄｅＢ（ｅＮＢ）１０１、ｅＮＢ  １０２、及びｅＮＢ１０３を含む。ｅＮＢ  １０１は、ｅＮＢ  １０２及びｅＮＢ  １０３と通信する。ｅＮＢ１０１は、また、インターネットのようなインターネットプロトコル（ＩＰ）ネットワーク１３０、私有のＩＰネットワークまたは他のデータネットワークと通信する。いくつかの実施例で、ｅＮＢ  １０１、１０２、または１０３は、調整されたマルチポイント（ＣｏＭＰ）送信を促進するための他のｅＮＢ  １０１、１０２、または１０３のセルを制御する。
【００１７】
ネットワークタイプに依存して、“基地局”または“アクセスポイント”などのような他のよく知られた用語が“ｅＮｏｄｅＢ”の代わりに使用されることができる。便宜上、用語 “ｅＮｏｄｅＢ”は、遠隔端末機に対する無線接続を提供するネットワーク基盤構造構成要素を言及するためにここで使用される。さらに、用語“ユーザ装置（Ｕｓｅｒ  Ｅｑｕｉｐｍｅｎｔ、ＵＥ）”は、無線通信ネットワークを通じてサービスに接続するために消費者によって使用されることができる遠隔端末機を言及するためにここで使用される。遠隔端末機に対する他のよく知られた用語は、“移動局（ｍｏｂｉｌｅ  ｓｔａｔｉｏｎｓ）”及び“加入者局”である。
【００１８】
ｅＮＢ  １０２は、ｅＮＢ  １０２のカバレージ領域１２０内にある第１複数のユーザ装置（ＵＥ）にネットワーク１３０に対する無線広帯域接続を提供する。第１複数のＵＥは、小企業に位置することができるＵＥ  １１１と；大企業に位置することができるＵＥ  １１２と；ワイファイホットスポット（ＷｉＦｉ  ｈｏｔｓｐｏｔ）に位置することができるＵＥ  １１３と；第１居住地に位置することができるＵＥ  １１４と；第２居住地に位置することができるＵＥ  １１５と；携帯電話、無線ラップトップ、無線ＰＤＡなどのような携帯用装置であることができるＵＥ  １１６とを含む。ＵＥ  １１１−１１６は、携帯電話、携帯ＰＤＡ及び任意の移動局（ＭＳ）のような任意の無線通信装置であることができ、これらに限定されない。
【００１９】
便宜上、用語“ユーザ装置”または“ＵＥ”は、ＵＥが移動装置（例えば、携帯電話）であるか、通常固定式装置（例えば、デスクトップ個人用コンピュータ、自動販売機など）として見なされるものであるかにかかわらず、ｅＮＢに無線で接続する遠隔無線装置を指称するためにここで使用される。他のシステムで、他のよく知られた用語は、“移動局（ＭＳ）”、“加入者局（ＳＳ）”、“遠隔端末機（ＲＴ）”、“無線端末機（ＷＴ）”などのように、“ユーザ装置”の代わりに使用されることができる。
【００２０】
ｅＮＢ  １０３は、ｅＮＢ  １０３のカバレージ領域１２５内にある第２複数のＵＥに対する無線広帯域接続を提供する。第２複数のＵＥは、ＵＥ  １１５及びＵＥ  １１６を含む。いくつかの実施例で、ｅＮＢ  １０１−１０３は、ＬＴＥまたはＬＴＥ−Ａ技術を使用して相互間にそしてＵＥ  １１１−１１６と通信することができる。
【００２１】
点線は、ただ例示及び説明の目的のために略円形で示したカバレージ領域１２０及び１２５の概略的な範囲を示す。基地局と連関されたカバレージ領域、例えば、カバレージ領域１２０及び１２５は、自然及び人工的な邪魔と関連した無線環境の変動及び基地局の構成によって不規則的な形状を含む他の形状を有することができることが明白に理解されなければならない。
【００２２】
たとえ図１は、無線ネットワーク１００の一例を示すが、多様な変更が図１に行われることができる。例えば、有線ネットワークのようなデータネットワークの他のタイプは、無線ネットワーク１００に代替されることができる。有線ネットワークで、ネットワーク端末機は、ｅＮＢ  １０１−１０３及びＵＥ  １１１−１１６を代替することができる。有線連結は、図１に示された無線連結（ｗｉｒｅｌｅｓｓ  ｃｏｎｎｅｃｔｉｏｎ）を代替することができる。
【００２３】
図２ａは、無線送信経路のハイ−レベルダイヤグラムである。図２ｂは、無線受信経路のハイ−レベルダイヤグラムである。図２ａ及び図２ｂで、送信経路２００は、例えば、ｅＮＢ  １０２で実行されることができ、受信経路２５０は、例えば、図１のＵＥ  １１６のようなＵＥで実行されることができる。しかし、受信経路２５０は、ｅＮＢ（例えば、図１のｅＮＢ１０２）で実行されることができ、送信経路２００は、ＵＥで実行されることができることが理解される。
【００２４】
送信経路２００は、チャネルコーディング及び変調ブロック２０５、直列→並列（Ｓ−ｔｏ−Ｐ）ブロック２１０、サイズＮの逆高速フーリエ変換（ＩＦＦＴ）ブロック２１５、並列→直列（Ｐ−ｔｏ−Ｓ）ブロック２２０、サイクリックプレフィックス追加ブロック２２５、アップコンバータ（ＵＣ）２３０を含む。受信経路２５０は、ダウンコンバータ（ＤＣ）２５５、サイクリックプレフィックス除去ブロック２６０、直列→並列（Ｓ−ｔｏ−Ｐ）ブロック２６５、サイズＮ高速フーリエ変換（ＦＦＴ）ブロック２７０、並列→直列（Ｐ−ｔｏ−Ｓ）ブロック２７５、チャネルデコーディング及び復調ブロック２８０を含む。
【００２５】
他の構成要素が構成可能なハードウェア（例えば、プロセッサ）またはソフトウェア及び構成可能なハードウェア構成の混合によって実行されることができるが、図２ａ及び図２ｂの少なくともいくつかの構成要素は、ソフトウェアで実行されることができる。特に、本発明で説明されたＦＦＴブロック及びＩＦＦＴブロックは、サイズＮの値は実行によって変更されることができる構成可能なソフトウェアアルゴリズムとして実行されることができることが注目される。
【００２６】
さらに、たとえ本発明は、高速フーリエ変換と逆高速フーリエ変換を実行する実施例に関連しているが、これは、ただ例示のためのものであって、本発明の範囲を制限するものと解釈されてはならない。本発明の代案の実施例で、高速フーリエ変換関数及び逆高速フーリエ変換関数は、それぞれ離散フーリエ変換（ＤＦＴ）関数及び逆離散フーリエ変換（ＩＤＦＴ）関数によって容易に代替されることができることが認められる。また、ＦＦＴ及びＩＦＦＴ関数について、Ｎ変数値が２の累乗（ｐｏｗｅｒ）（すなわち、１、２、４、８、１６など）である任意の整数であることができるが、ＤＦＴ及びＩＤＦＴ関数について、Ｎ変数の値が任意の整数（すなわち、１、２、３、４、など）であることができることが認められる。
【００２７】
送信経路２００で、チャネルコーディング及び変調ブロック２０５は、情報ビットの集合を受信し、コーディングを適用し（例えば、ＬＤＰＣコーディング）、周波数領域変調シンボルのシーケンスを生成するために入力ビットを変調する（例えば、直交位相シフトキーイング（ＱＰＳＫ）または直交振幅変調（ＱＡＭ））。直列→並列ブロック２１０は、ＮがｅＮＢ  １０２及びＵＥ  １１６で使用されたＩＦＦＴ／ＦＦＴサイズであるＮ並列シンボルストリームを生成するために直列変調されたシンボルを並列データに変換する（すなわち、逆多重化）。サイズＮのＩＦＦＴブロック２１５は、その次に時間−領域出力信号を生成するためにＮ並列シンボルストリームにＩＦＦＴ動作を行う。並列→直列ブロック２２０は、直列時間−領域信号を生成するためにサイズＮのＩＦＦＴブロック２１５から並列時間−領域出力シンボル（ｐａｒａｌｌｅｌ  ｔｉｍｅ−ｄｏｍａｉｎ  ｏｕｔｐｕｔ  ｓｙｍｂｏｌｓ）を変換する（すなわち、多重化）。サイクリックプレフィックス追加ブロック２２５は、その次に時間−領域信号にサイクリックプレフィックス（ｃｙｃｌｉｃ  ｐｒｅｆｉｘ）を挿入する。最後に、アップコンバータ２３０は、無線チャネルを介した送信のためにサイクリックプレフィックス追加ブロック２２５の出力をＲＦ周波数に変調する（例えば、アップコンバータ）。信号は、また、ＲＦ周波数への変換以前に基底帯域でフィルタリングされることができる。
【００２８】
伝送されたＲＦ信号は、無線チャネルを通過した後、ＵＥ  １１６に到着し、ｅＮＢ  １０２にあるものの逆動作（ｒｅｖｅｒｓｅ  ｏｐｅｒａｔｉｏｎｓ）が実行される。ダウンコンバータ２５５は、受信された信号を基底帯域周波数にダウンコンバートし、サイクリックプレフィックス除去ブロック２６０は、直列時間−領域基底帯域信号を生成するためにサイクリックプレフィックスを除去する。直列→並列ブロック２６５は、時間−領域基底帯域信号を並列時間−領域信号に変換する。サイズＮのＦＦＴブロック２７０は、その次にＮ並列周波数−領域信号を生成するためにＦＦＴアルゴリズムを行う。並列→直列ブロック２７５は、並列周波数−領域信号を変調されたデータシンボルのシーケンスに変換する。チャネルデコーディング及び復調ブロック２８０は、元々の入力データストリームを復旧するために復調し、次に変調されたシンボルをデコーディングする。
【００２９】
それぞれのｅＮＢ  １０１−１０３は、ＵＥ  １１１−１１６に下向きリンクで送信することと類似の送信経路を実行することができ、ＵＥ  １１１−１１６から上向きリンクで受信することと類似の受信経路を実行することができる。同様に、ＵＥ  １１１−１１６それぞれは、ｅＮＢ  １０１−１０３に上向きリンクで送信するためのアキテクチャーに相当する送信経路を実行することができ、ｅＮＢ  １０１−１０３から下向きリンクで受信するためのアキテクチャーに相当する受信経路を行うことができる。
【００３０】
図３は、本発明の実施例による加入者局を示す。図３に示された加入者局（ＵＥ  １１６）の実施例は、ただ説明のためのものである。無線加入者局の他の実施例が本発明の範囲を逸脱することなく使用されることができる。
【００３１】
ＵＥ  １１６は、アンテナ３０５、無線周波数（ＲＦ）トランシーバ３１０、送信（ＴＸ）処理回路３１５、マイクロホン３２０、及び受信（ＲＸ）処理回路３２５を含む。ＳＳ  １１６は、また、スピーカー３３０、メインプロセッサ３４０、入力／出力（Ｉ／Ｏ）インターフェース（ＩＦ）３４５、キーパッド３５０、ディスプレイ３５５、及びメモリ３６０を含む。メモリ３６０は、基本運営体系（ＯＳ）プログラム３６１及び複数のアプリケーション３６２をさらに含む。複数のアプリケーションは、１つ以上の資源マッピングテーブル（以下で詳細に記述された表１−１０）を含むことができる。
【００３２】
無線周波数（ＲＦ）トランシーバ３１０は、無線ネットワーク１００の基地局によって送信された受信ＲＦ信号をアンテナ３０５から受信する。無線周波数（ＲＦ）トランシーバ３１０は、中間周波数（ＩＦ）または基底帯域信号を生成するために受信ＲＦ信号をダウンコンバートする。ＩＦ及び基底帯域信号は、基底帯域またはＩＦ信号をフィルタリング、デコーディング及び／またはデジタル化することによって、処理された基底帯域信号を生成する受信機（ＲＸ）処理回路３２５に伝送される。受信機（ＲＸ）処理回路３２５は、処理された基底帯域信号をスピーカー３３０（すなわち、音声データ）にまたは追加処理（例えば、ウェブブラウジング）のためにメインプロセッサ３４０に伝送する。
【００３３】
送信機（ＴＸ）処理回路３１５は、マイクロホン３２０からアナログまたはデジタル音声データまたは、メインプロセッサ３４０から他の発信基底帯域データ（例えば、ウェブデータ、電子メール、対話形ビデオゲームデータ）を受信する。送信機（ＴＸ）処理回路３１５は、処理された基底帯域またはＩＦ信号を生成するために発信基底帯域データをコーディングし、多重化し／するか、デジタル化する。無線周波数（ＲＦ）トランシーバ３１０は、送信機（ＴＸ）処理回路３１５から発信される処理された基底帯域またはＩＦ信号を受信する。無線周波数（ＲＦ）トランシーバ３１０は、基底帯域またはＩＦ信号をアンテナ３０５を通じて送信される無線周波数（ＲＦ）信号にアップコンバータする。
【００３４】
いくつかの実施例で、メインプロセッサ３４０は、マイクロプロセッサまたはマイクロコントローラーである。メモリ３６０は、メインプロセッサ３４０にカップリングされる。本発明のいくつかの実施例によれば、メモリ３６０の一部分は、ランダムアクセスメモリ（ＲＡＭ）を含み、メモリ３６０の他の部分は、読み取り専用メモリ（ＲＯＭ）として動作をするフラッシュメモリを含む。
【００３５】
メインプロセッサ３４０は、基本作動システムの無線加入者局１１６の全般的な動作を制御するためにメモリ３６０に格納された基本運営体系（ＯＳ）プログラム３６１を実行する。このような１つの動作で、メインプロセッサ３４０は、よく知られた原理によって無線周波数（ＲＦ）トランシーバ３１０、受信機（ＲＸ）処理回路３２５及び送信機（ＴＸ）処理回路３１５によって順方向チャネル信号の受信及び逆方向チャネル信号（ｒｅｖｅｒｓｅ  ｃｈａｎｎｅｌ  ｓｉｇｎａｌ）の送信を制御する。
【００３６】
メインプロセッサ３４０は、調整されたマルチポイント（ＣｏＭＰ）通信のための動作のような、メモリ３６０に常在する他のプロセス及びプログラムを実行し、同期信号を決定することができる。メインプロセッサ３４０は、実行するプロセスによって要求された通り、メモリ３６０の内部にまたは外部にデータを移動することができる。いくつかの実施例で、メインプロセッサ３４０は、ＣｏＭＰ通信及びＭＵ−ＭＩＭＯ通信のためのアプリケーションのような複数のアプリケーション３６２を実行するように構成される。メインプロセッサ３４０は、ＯＳプログラム３６１に基づくか、またはＢＳ  １０２から受信された信号に応答して複数のアプリケーション３６２を動作することができる。メインプロセッサ３４０は、また、Ｉ／Ｏインターフェース３４５にカップリングされる。Ｉ／Ｏインターフェース３４５は、ラップトップコンピュータ及び携帯用コンピュータのような他の装置に連結する能力を有する加入者局１１６を提供する。Ｉ／Ｏインターフェース３４５は、このようなアクセサリーとメインプロセッサ３４０との間の通信経路である。
【００３７】
メインプロセッサ３４０は、また、キーパッド３５０及びディスプレイ３５５にカップリングされる。加入者局１１６の運営者は、加入者局１１６にデータを入力するためにキーパッド３５０を使用する。ディスプレイ３５５は、ウェブサイトからテキスト及び／または少なくとも制限されたグラフィックをレンダリングすることができる液晶ディスプレイ（ｌｉｑｕｉｄ  ｃｒｙｓｔａｌ  ｄｉｓｐｌａｙ）であることができる。代案の実施例は、他のタイプのディスプレイを使用することができる。
【００３８】
図４ａ〜図４ｃは、本発明の実施例による調整されたマルチポイント（ＣｏＭＰ）送信によって動作するように構成されることができる例示的なネットワークトポロジーを示す。
【００３９】
図４ａは、イントラサイトＣｏＭＰとともに動作するように構成される例示的な同種のネットワーク４００を示す。同種のネットワーク４００は、それぞれが示された特定実施例で３個のセルである相当する数のセル４０４を管理するか、調整する多数の基地局４０２を含む。それぞれの基地局４０２のセル４０４は、自分のセル４０４を調整する。すなわち、それぞれの基地局は、他の基地局４０２から独立的にそのセルにある活性化されたＵＥを管理する。
【００４０】
図４ｂは、ｅＮＢのような制御する基地局４１２、及び多数の高電力ＲＲＨトランシーバ４１４を含む例示的な同種のネットワーク４１０を示す。図４ａの同種のネットワーク４００のように、基地局４１２及びそれぞれのＲＲＨトランシーバ４１４は、それらのそれぞれのセル４１６にあるＵＥにで無線シグナリングを送信し受信する。しかし、同種のネットワーク４１０は、ネットワークによってサービスされるＵＥの管理が基地局４１２によって中央制御されるという点から、図４ａの同種のネットワーク４００と異なっている。
【００４１】
図４ｃは、マクロ基地局４２２及び多数の低電力ＲＲＨトランシーバ４２４を含む例示的な異種ネットワーク４２０を示す。マクロ基地局４２２は、通常、マクロセル４２６と呼ばれるそのセルにあるＵＥを管理し調整する。追加的に、低電力ＲＲＨトランシーバは、それぞれ通常、ピコセル（ｐｉｃｏ  ｃｅｌｌ）４２８と呼ばれるその個別的なセルにあるＵＥを管理し調整する。それにもかかわらず、ピコセル４２８にあるＵＥは、一般的にマクロセル４２６の地理的範囲内に位置する。
【００４２】
いくつかの実施例で、ＲＲＨトランシーバ４２４は、それらのそれぞれのピコセルにあるＵＥに個別的にサービスを提供するようにそれら自分の個別的なセルＩＤを有する。他の実施例で、ＲＲＨトランシーバ４２４は、マクロ基地局４２２のセルＩＤを使用する。この場合に、同一のセルＩＤを共有するＴＰの全体調整された領域は、単一セルとして見なされる。
【００４３】
本発明の実施例によれば、前述したネットワーク４００、４１０及び４２０は、１つ以上のカテゴリーに分類されたＣｏＭＰ送信を提供する。１つのカテゴリーは、ＵＥのためのデータが時間−周波数資源のためのＣｏＭＰ協力集合で１つ以上のポイントにある利用可能な共同処理（Ｊｏｉｎｔ  Ｐｒｏｃｅｓｓｉｎｇ）を含む。ＪＰカテゴリーは、時間−周波数資源にある単一ＵＥまたは多数のＵＥへの多数のポイント（例えば、ＣｏＭＰ協力集合の一部または全体）から同時データ伝送とともに共同送信（Ｊｏｉｎｔ  Ｔｒａｎｓｍｉｓｓｉｏｎ、ＪＴ）を含むことができる。ＪＴと一緒に、ＵＥへのデータは、受信された信号品質及び／またはデータ処理量をコヒレントににまたは非コヒレントに改善するために多数のポイントから同時に送信される。ＪＰカテゴリーは、また、時間−周波数資源で動的ポイント選択（ＤＰＳ）／１つのポイント（ＣｏＭＰ協力集合内の）からデータ送信のミュティング（ｍｕｔｉｎｇ）を含むことができる。送信／ミュティングポイント（ｔｒａｎｓｍｉｔｔｉｎｇ／ｍｕｔｉｎｇ  ｐｏｉｎｔ）は、１つのサブフレームからサブフレーム内のＲＢ対（ＲＢ  ｐａｉｒｓ）にわたって変わることを含む他のサブフレームに変更されることができる。データは、多数のポイントで同時に利用可能である。いくつかの実施例で、これは、動的セル選択（Ｄｙｎａｍｉｃｃｅｌｌ  ｓｅｌｅｃｔｉｏｎ、ＤＣＳ）を含む。いくつかの場合で、ＤＰＳは、ＪＴと結合されることができ、この場合、多数のポイントが時間−周波数資源でデータ送信のために選択されることができる。
【００４４】
他のカテゴリーは、調整されたスケジューリング／ビームフォーミング（Ｃｏｏｒｄｉｎａｔｅｄ  Ｓｃｈｅｄｕｌｉｎｇ／Ｂｅａｍｆｏｒｍｉｎｇ、ＣＳ／ＣＢ）を含み、ここで、ＵＥのためのデータが時間−周波数資源のためのＣｏＭＰ協力集合（ＤＬデータ伝送がそのポイントから行われる）にある１つのポイントでただ利用可能であり、その１つのポイントから送信されるが、ユーザスケジューリング／ビームフォーミング決定は、ＣｏＭＰ協力集合に相当するポイントのうち調整とともに行われる。伝送ポイント（ｔｒａｎｓｍｉｔｔｉｎｇ  ｐｏｉｎｔｓ）は、半静的に（ｓｅｍｉ−ｓｔａｔｉｃａｌｌｙ）選択される。ＣＳ／ＣＢカテゴリーは、また、１回に１つのポイントから特定ＵＥへの伝送とともに半静的なポイント選択（ｓｅｍｉ−ｓｔａｔｉｃ  ｐｏｉｎｔ  ｓｅｌｅｃｔｉｏｎ、ＳＳＰＳ）を含む。いくつかの実施例で、ただ送信ポイントだけが半静的方式に変わる。ミュティングは、前記伝送スキームとともに動的及び半静的方式で適用される。
【００４５】
他のカテゴリーは、ＪＰとＣＳ／ＣＢのハイブリッド組合を含む。ＵＥのためのデータは、時間−周波数資源のためのＣｏＭＰ協力集合にあるポイントの部分集合（ｓｕｂｓｅｔ）だけで利用可能であるが、ユーザスケジューリング／ビームフォーミング決定は、ＣｏＭＰ協力集合に相当するポイントのうち調整とともに行われる。例えば、協力集合内の他のポイントがＣＳ／ＣＢを実行する間に、協力集合内のいくつかのポイントは、ＪＰによってターゲットＵＥにデータを送信する。
【００４６】
本発明の実施例によれば、前記で説明されたネットワーク４００、４１０及び４２０は、１つ以上の異なるタイプのＣｏＭＰ集合を提供する。１つの特定タイプのＣｏＭＰ集合は、ポイントの集合（ｓｅｔ  ｏｆ  ｐｏｉｎｔｓ）（地理的に分離した）が時間−周波数資源でＵＥへのデータ伝送に直接的に及び／または間接的に参加するＣｏＭＰ協力集合を含む。この集合は、ＵＥに対して透過的（ｔｒａｎｓｐａｒｅｎｔ）であってもよく、または非透過的であってもよい。ＵＥは、時間−周波数資源でデータを実際に送信するポイントのような直接的参加、またはデータ送信のための候補ポイントがデータを伝送しいが、時間−周波数資源でユーザスケジューリング／ビームフォーミングに関する決定に寄与する間接的参加をすることができる。
【００４７】
ＣｏＭＰ協力集合は、また、データをＵＥに送信するポイントまたはポイントの集合を含むＣｏＭＰ送信ポイントを含む。ＣｏＭＰ送信ポイントは、ＣｏＭＰ協力集合の部分集合であることができる。ＪＴのために、ＣｏＭＰ送信ポイントは、特定周波数資源のためのそれぞれのサブフレームでＣｏＭＰ協力集合内の多数のポイントを含むことができる。ＣＳ／ＣＢ、ＤＰＳ、ＳＳＰＳ、ＣｏＭＰ協力集合内の単一ポイントは、特定周波数資源のためにそれぞれのサブフレームでＣｏＭＰ送信ポイントを含む。ＳＳＰＳのために、ＣｏＭＰ送信ポイントは、ＣｏＭＰ協力集合内で半静的に変わることができる。
【００４８】
他の特定タイプのＣｏＭＰ集合は、ＵＥに対するそれらのリンクに関連したチャネル状態／統計情報がＲＥＦ２のセクション５．２．２で論議されたように測定され／されるか、報告されるポイントの集合でＣｏＭＰ測定集合を含む。ＵＥ報告は、実際フィードバック情報が伝送されるポイントを下向き選択（ｄｏｗｎ−ｓｅｌｅｃｔ）することができる。それにもかかわらず、干渉の測定が考慮されなければならない。
【００４９】
他の特定のタイプのＣｏＭＰ集合は、ＲＲＭ測定が実行されるセルの集合を含む無線資源管理（ＲＲＭ）測定集合を含む。追加的なＣｏＭＰ資源管理測定方法が同一の論理セルエンティティー（ｌｏｇｉｃａｌ  ｃｅｌｌ  ｅｎｔｉｔｙ）に属する異なるポイントを分離するために、またはＣｏＭＰ測定集合を選択するために考慮されることができる。ＲＲＭ測定集合に対して、ＵＥ報告は、ＣｏＭＰ測定集合及びＣｏＭＰ協力集合を決定するためにネットワークによって使用される。本発明のいくつかの実施例は、ＲＲＭ測定集合を管理するためにネットワーク及びＵＥのための方法を提供する。
【００５０】
他の特定タイプのＣｏＭＰ集合は、ＣＳＩ−ＲＳに基づく受信された信号測定が実行され報告されることができるＣＳＩ−ＲＳ資源の集合を含むＣｏＭＰ資源管理測定を含む。このような受信された信号測定は、ＣｏＭＰ測定集合を構成するのに使用されることができる。移動性測定またはＳＲＳのような他の測定は、また、ＣｏＭＰ測定集合を構成するのに使用されることができる。これは、既存の移動性測定及び手続から独立的である。
【００５１】
以下のいくつかの実施例には、２つのタイプのＲＲＭ測定集合がある；１つのタイプ（タイプ−１）は、Ｒｅｌ−８／９／１０のように、セル特定基準信号（ｃｅｌｌ−ｓｐｅｃｉｆｉｃ  ｒｅｆｅｒｅｎｃｅ  ｓｉｇｎａｌ、ＣＲＳ）測定に基づいていて、他のタイプ（タイプ−２）は、ＣｏＭＰ資源管理測定に基づいている。
【００５２】
以下のいくつかの実施例で、ＲＳＲＰ（基準信号受信電力）／ＲＳＲＱ（基準信号受信品質）（技術規格３６．２１４、バージョン１０．１．０で定義された測定法と類似）としてＣＳＩ−ＲＳ測定からＵＥによって生成された信号品質測定及び報告が言及される。これは、制限的ではなく、他の信号品質測定法がまた使用されることができる。
【００５３】
いくつかの実施例で、ＵＥは、（ＣＲＳに基づく）タイプ−１  ＲＲＭ測定及び（ＣＳＩ−ＲＳに基づく）タイプ−２  ＲＲＭ測定を同時に実行するように構成される。タイプ−１  ＲＲＭ測定は、３ＧＰＰ技術規格のリリース８、９、及び１０に説明されたように、ＲＲＭ測定と類似の方法でセル間の移動性（ｉｎｔｅｒ−ｃｅｌｌ  ｍｏｂｉｌｉｔｙ）を管理するために使用され；タイプ−２  ＲＲＭ測定は、ＣｏＭＰ協力集合、ＣｏＭＰ測定集合及びＴＰ間の移動性（ｉｎｔｅｒ−ＴＰ  ｍｏｂｉｌｉｔｙ）を管理するために使用される。タイプ−２  ＲＲＭ測定集合は、一般的にＣｏＭＰ資源管理測定集合と呼ばれる。
【００５４】
いくつかの実施例で、ＵＥがタイプ−２  ＲＲＭ測定を実行するように構成されるとき、使用された基準信号がまたＣＳＩ−ＲＳであり、すなわち、ＵＥがセル特定基準信号を測定するように要求しないことを除いて、ＵＥは、また、タイプ−１  ＲＲＭ測定（前述した規格のリリース８、９、及び１０のＲＲＭ測定と類似な）を実行する。この実施例は、いくつかの場合で、ＣＳＩ−ＲＳに基づく共通ＲＲＭ測定フレームワークを提供することができる。
【００５５】
いくつかの実施例で、ネットワークは、ＣｏＭＰ測定集合管理、さらに遅いＣＳ／ＣＢ関連測定、及びＣｏＭＰ測定によるハンドオーバーの決定を含む１つ以上の目的のためにタイプ−２  ＲＲＭ測定を使用し、これらに限定されない。
【００５６】
ＣｏＭＰ測定集合管理とともに、ネットワークは、どのＴＰがＣｏＭＰ測定集合（すなわち、追加、除去、代替）に含まれなければならないかを決定する。さらに遅いＣＳ／ＣＢ（例えば、半静的ポイント選択（ｓｅｍｉ−ｓｔａｔｉｃ  ｐｏｉｎｔ  ｓｅｌｅｃｔｉｏｎ）のようなさらに遅いＣＳ／ＣＢ関連測定のために、ただこのようなＴＰだけに対するＲＲＣ報告をし、これにより、このようなＴＰをＣｏＭＰ測定集合に追加しないことが十分なことがある。したがって、第２目的は、ＣｏＭＰ測定集合に追加されることが意図されず、たださらに遅いＣＳ／ＣＢ戦略が構成される必要があるように、それらが強力な干渉者になるかを把握するためにＴＰに関する測定をすることになる。
【００５７】
（ｅＮＢ間／セル間）ハンドオーバー後にＣｏＭＰ測定集合の決定とともに、いくつかの他のＴＰに対する測定は、ＵＥが現在セルにある間に直接的に関連せず、ＵＥが（ＣＲＳ測定に基づいて）セル間／ｅＮＢ間のハンドオーバーをトリガーするときにのみ直接的に関連する。その後にのみ、新しいＣｏＭＰ測定集合を決定するために、ネットワークは、すぐ新しいセルで良いＣｏＭＰ測定集合が使用されることができるようにこのようなＴＰに関する測定をする。
【００５８】
図５は、タイプ−２  ＲＲＭ測定集合５０２がどんなに本発明の実施例によって基地局５０６のネットワークによって管理される多数の送信ポイント（ＴＰ）５０４から生成されるかを示す例示的なネットワーク５００を示す。図５に示されたタイプ−２  ＲＲＭ測定集合５０２は、ただ説明のためのものである。他の実施例は、本発明の範囲を逸脱することなく使用されることができる。
【００５９】
タイプ−２  ＲＲＭ測定集合は、ＵＥが検出し、測定し、報告することを考慮する送信ポイント（ＴＰ）の集合を含む。構成は、専用シグナリング（ｄｅｄｉｃａｔｅｄ  ｓｉｇｎａｌｉｎｇ）を通じて実行され、すなわち、構成は、端末特定的である。タイプ−２  ＲＲＭ測定集合内のＴＰの集合は、次のもののうち１つまたはその組合を含む：（ｉ）セル内のＴＰの集合（すなわち、前記で説明されたネットワーク４２０（図４ｃ参照）に相当する）（ｉｉ）単一ｅＮｏｄｅＢによって制御されるセルにわたるＴＰの集合、及び／または２つ以上のｅＮｏｄｅＢによって制御されるセルにわたるＴＰの集合。
【００６０】
ＣｏＭＰ測定集合がただ１つのセルからのＴＰを含むことができるか、または多数のｅＮｏｄｅＢからのＴＰを含むことができるもののように、図面は、ただ説明のためのものであることに注目し；同様に、ＲＲＭ測定集合は、多数のｅＮｏｄｅＢなどからのＴＰを含まないことがある。
【００６１】
ＵＥが与えられた周波数に対してタイプ−２  ＲＲＭ測定集合５０２に対して考慮すべきＴＰを明示する測定客体が構成されることができる。これは、従来の測定客体ｍｅａｓＯｂｊｅｃｔＥＵＴＲＡを拡張するか、このような目的のための新しい測定客体を定義することによって行われる。
【００６２】
タイプ−２  ＲＲＭ測定集合５０２のために考慮されるＴＰに対する情報の１つ以上の要素がＴＰの搬送波周波数、ＴＰと関連した物理的セルｉｄ（ＰＣＩ）のようにネットワークによって提供され、例えば、物理的セルＩＤ（ＰＣＩ）範囲、ＴＰのリスト、ＴＰ特定オフセット、及びセル特定オフセットで表示される。ＴＰは、ＣＳＩ−ＲＳ構成、ＣＳＩ−ＲＳサブフレーム構成、及びＣＳＩＲＳポートの数によって表示されることができ／シグナリングされることができるか、ＴＰインデックスによって表示され／シグナリングされ、ＴＰインデックスそれぞれは、ＣＳＩ−ＲＳ構成、ＣＳＩ−ＲＳサブフレーム構成及びＣＳＩ−ＲＳポートの数の組合にマッピングされる。代案として、ＴＰは、ＴＰと関連した物理的なセルｉｄ（ＰＣＩ）によって暗黙的にシグナリングされることができ、すなわち、ＴＰのリストは、（ｉｉ）でシグナリングされたＰＣＩから誘導される。
【００６３】
さらに、それぞれのＴＰに対するＣＳＩ−ＲＳシーケンスを誘導するためにＵＥに対して要求された情報は、また、シグナリングされることができ、例えば、数５によるＣＳＩ−ＲＳシーケンスを決定するために使用された次の数式でパラメータＸ及び／またはＹは、次の通りである：
【００６４】
【数５】
2014534667.tif 000003
【００６５】
１つの代案で、ＵＥは、Ｘが隣接セル中の１つとしてＵＥによって検出されたＰＣＩに相当するか否かに基づいてＹを決定する。もしＸが検出された隣接セルのＰＣＩに相当するか、ＴＰと連関されたＰＣＩによって構成された任意ＰＣＩに相当すれば、ＵＥは、Ｙが隣接セルのスロット番号と仮定する。ＵＥは、隣接セルの第１同期化信号（ＰＳＳ）／第２同期化信号（ＳＳＳ）検出からスロット番号を認識する。もしＸがＵＥまたはＰＣＩによって構成された任意のＰＣＩによって検出された隣接セルの任意のＰＣＩに相当しなければ、ＵＥは、スロット番号がサービングセル（ｓｅｒｖｉｎｇ    ｃｅｌｌ）のスロット番号と同一であると仮定する。次に、Ｙは、シグナリングされる必要がない。また、他の代案で、Ｙは、サービングセルのＴＰの数（ｎｓ）と同一であると仮定される。
【００６６】
タイプ−２  ＲＲＭ測定集合５０２に対して考慮されたＴＰに対する追加的な情報は、ＴＰ特定オフセットを含む。ＴＰ特定オフセットは、下記で説明される測定報告トリガー（ｍｅａｓｕｒｅｍｅｎｔ  ｒｅｐｏｒｔｉｎｇ  ｔｒｉｇｇｅｒ）に使用される。もし適用することができるＴＰについて明示されなければ、デフォルトＴＰ特定オフセット（ｄｅｆａｕｌｔ  ＴＰ−ｓｐｅｃｉｆｉｃ  ｏｆｆｓｅｔ）は、０ｄＢに設定される。
【００６７】
タイプ−２  ＲＲＭ測定集合５０２に対して考慮されたＴＰに対する追加的な情報は、セル特定ＴＰオフセット（ｃｅｌｌ−ｓｐｅｃｉｆｉｃ  ＴＰ  ｏｆｆｓｅｔ）を含む。セル特定ＴＰオフセットは、一般的に同一セルと連関したすべてのＴＰに対する共通オフセット（ｃｏｍｍｏｎ  ｏｆｆｓｅｔ）を含む。セル特定ＴＰオフセットは、以下で詳しく説明されるように、測定報告トリガーで使用される。
【００６８】
前記で説明された情報要素（ｉｎｆｏｒｍａｔｉｏｎ  ｅｌｅｍｅｎｔ）は、例示的なものである。他のタイプの情報が使用されることができる。例えば、ゼロ電力ＣＳＩ−ＲＳ資源は、ＵＥによって実行されたＲＳＲＰ測定がサービングＴＰのＤＬデータからの干渉から相対的に自由になるように（例えば、ＲＲＣシグナリングのようなさらに高い階層シグナリングによって）追加的に構成されることができる。代案として、ＵＥは、ＰＤＳＣＨはＲＳＲＰ測定のために構成されたＣＳＩ−ＲＳ資源にマッピングされないと仮定することができる。
【００６９】
１つの代案で、ネットワークによって提供されたＴＰのリストは、ＵＥがただリスト化されたＴＰを検出するか、測定するか、報告するために試みるように要求されるホワイトリストを含む。この代案の長所は、ＵＥが、潜在的に多くのＴＰを含むことができる、リスト化されないＴＰを検出するか、測定するか、報告するように要求されないということである。この代案は、特に低いジオメトリー（ｌｏｗ  ｇｅｏｍｅｔｒｙ）を有するＵＥに対して大きくなることができるＴＰ検出の待機時間（ｌａｔｅｎｃｙ  ｏｆ  ＴＰ  ｄｅｔｅｃｔｉｏｎ）を減らすことができる。
【００７０】
他の代案で、ネットワークは、ＵＥがブラックリスト化されたＴＰを検出するか、測定するか、報告するように要求されないか、または許容されないＴＰのブラックリストを提供する。しかし、ＵＥは、任意の他のリスト化されないＴＰを検出するか、測定するか、報告することを試みなければならない。
【００７１】
他の代案で、ネットワークによって提供されたＴＰのリストは、ＵＥがリスト化されたＴＰを検出するか、測定するか、報告することを初期に試みるように要求される優先順位リストを含む。ＵＥは、それが見つけることができる任意の他のリスト化されたＴＰを検出するか、測定するか、報告するように許容される。
【００７２】
選択的に、ＴＰのブラックリストは、また、ＵＥがブラックリスト化したＴＰを検出するか、測定するか、報告するように要求されないかまたは許容されないように提供されることができる。
【００７３】
ネットワークがＵＥによって考慮されるＴＰのリストをどんなに構成しなければならないかに対するいくつかの例が以下で説明された。１つの特定の例は、ネットワークトポロジーの知識に基づいて、ＴＰの位置及びＵＥの位置などを含み、ネットワークは、ＵＥが、その位置によって、特定ＴＰの範囲内にあると決定する。この場合、ネットワークは、リスト内にあるＴＰの一部を含み／排除することができる。他の特定の例は、ＴＰのターンオンとターンオフに関する情報をまた使用するネットワークを含み、例えば、夜に事務室地域で、一部のＴＰは、トラフィックがほとんどないかまたは全然ないので、そしてエネルギー節約のためにターンオフされることができる。したがって、これらのようなＴＰは、リスト内に含まれる必要がない。同様に、もしＴＰが昼に事務室地域でターンオンされれば、ＴＰは、リストに含まれることができる。
【００７４】
他の特定例は、例えば、ネットワークにその負荷を通知するそれぞれのＴＰによって決定されることができるそれぞれのＴＰの負荷を知っているネットワークを含む。例えば、負荷は、そのサービス内にあるＵＥの数、またはＴＰの時間／周波数レベルなどのような利用可能なエアインターフェース資源（ａｖａｉｌａｂｌｅ  ａｉｒ  ｉｎｔｅｒｆａｃｅ  ｒｅｓｏｕｒｃｅｓ）であることができる。ネットワークは、送信電力、実行ビームフォーミング戦略などを測定するか、報告するか、連関させるために、一部のＵＥに対する低い負荷を有するＴＰに優先順位を付与することができる。獲得された情報は、リスト内に含まれるＴＰを決定するためにネットワークに対して使用されることができる。例えば、もしＴＰが干渉調整によって現在低い送信電力を有する場合に、しかし、もしこのような干渉調整が干渉調整の必要があったＵＥが領域の外に移動したから、これ以上必要なくなる場合に、ＴＰの送信電力はさらに設定されることができる。次に、このようなＴＰは、送信電力の変化に起因してリスト内にあり得る。
【００７５】
さらに、次のような方法は、ＵＥがタイプ−２  ＲＲＭ測定のために考慮しなければならないＴＰを改善するために使用されることができる：
【００７６】
１つの方法で、ＵＥは、ＴＰを検出するか、測定するか、報告するように要求されず、ＴＰの連関されたセルがＣＲＳ（本発明でタイプ−１と言及される）に基づくＲＲＭ測定を使用してＵＥによって検出されず、ＣＲＳは、３ＧＰＰ規格のリリース８、９、１０で定義されたものと同一であることができる。
【００７７】
他の方法で、ＵＥは、ＴＰを検出するか、測定するか、報告するように要求されず、ＴＰの連関されたセルがＣＲＳ（本発明でタイプ−１と言及される）に基づいてＲＲＭ測定とともにＵＥによって報告されず、ＣＲＳは、３ＧＰＰ規格のリリース８、９、１０で定義されたものと同一であることができる。
【００７８】
前記で説明された方法の長所は、ＵＥによって考慮される必要があるＴＰの集合の減少である。タイプ−２  ＲＲＭ測定集合に対するＵＥ報告に基づいて、ネットワークは、ＣｏＭＰ測定集合とＣｏＭＰ協力集合を決定することができる。
【００７９】
図６は、ＣｏＭＰ測定集合６０２がどんなに本発明の実施例による基地局６０６のネットワークによって管理される１つ以上の測定客体６０４から生成されるかを示す他の例示的なネットワーク６００を示す。図６に示された測定客体６０４は、ただ説明のためのものである。他の実施例は、本発明の範囲を逸脱することなく使用されることができる。
【００８０】
いくつかの実施例で、タイプ−２  ＲＲＭ測定集合構成は、１つ以上の測定客体６０４によって生成され、それによってそれぞれの測定客体６０４は、ＴＰの異なる集合及びそれらと連関されたパラメータを明示する。さらに、それぞれの測定客体６０４は、また異なる報告構成とリンクされる。これは、ＵＥ測定及び報告行為が構成された測定客体に適用することができる測定の目的によってカストマイズされるように許容する。測定客体は、ＴＰの重畳集合（ｏｖｅｒｌａｐｐｉｎｇ  ｓｅｔ）を含んでもよく、含まなくてもよい。
【００８１】
それぞれの測定客体がＴＰ  ６０８の異なる集合と連関され、それぞれの測定客体が異なる報告構成とリンクされるので、この実施例は、報告構成（ｒｅｐｏｒｔ  ｃｏｎｆｉｇｕｒａｔｉｏｎ）と一緒に構成されるＴＰ特定報告イベント限界値／オフセット及びヒステリシスパラメータを提供する。この実施例は、また、同一のＴＰが異なる測定客体にある異なるＴＰ特定オフセットで構成されるように許容する。
【００８２】
図示された特定例で、異なる測定客体が異なる測定目的のために構成される。第１測定客体６０４’は、ＣＯＭＰ測定集合に対するＴＰ代替の目的に使用され、第２測定客体６０４”は、ＣＳ／ＣＢ干渉制御測定集合として使用され、第３測定客体６０４’” は、セル間のハンドオーバーを促進するために使用される。
【００８３】
いくつかの実施例で、ＣＲＭのためのＴＰ  ＩＤは、下記に示されたように定義される。それぞれのＣＳＩ−ＲＳ資源／ＣＲＭ集合内のＴＰに対する固有なＩＤを定義する必要がある。ＩＤの潜在的な使用事例は、次の通りである：
【００８４】
１．特定ＣＳＩ−ＲＳ資源構成リリース：ＩＤは、どのＣＳＩ−ＲＳ資源がＵＥによってリリースされるかを指示するのに使用される。
【００８５】
２．報告：ＩＤは、どのＣＳＩ−ＲＳ支援が報告されるかを指示するためにＣＳＩ−ＲＳＲＰ測定報告書に含まれている。
【００８６】
３．いくつかの場合に、ＩＤは、また、どのＣＳＩ−ＲＳ資源がＣＲＭ測定のためにＵＥによって追加されるかを指示するために使用される。
【００８７】
ＴＰ  ＩＤの定義に対する代案は、下記で説明される方法を含む。
【００８８】
１つの方法で、ＣＳＩ−ＲＳ資源／ＴＰ  ＩＤは、ネットワークによって明示的に構成される。
【００８９】
−ＴＰ  ＩＤは、さらに高い階層シグナリング、例えば、ＲＲＣシグナリングによって提供される。
【００９０】
−ＩＤの最大範囲は、ＣＲＭ集合（ネットワークによって固定されるか／あらかじめ定義されるか、または構成可能な）の最大サイズと同一である。
【００９１】
他の方法で、ＣＳＩ−ＲＳ資源に対するＩＤは、ＣＳＩ−ＲＳ資源に対するＣＳＩ−ＲＳ構成パラメータから暗黙的に決定される。
【００９２】
−この方法の長所は、ＴＰ  ＩＤの明示的なシグナリングが要求されないということである。もしＴＰ／ＣＳＩ−ＲＳ資源のブラインド検出（ｂｌｉｎｄ  ｄｅｔｅｃｔｉｏｎ）が支援されれば、この方法は、ネットワークによって構成されないＴＰの報告を促進する。
【００９３】
−１つの下位−方法（下位−方法Ａ）で、ＩＤは、ＣＳＩ−ＲＳ資源に対して構成されたスクランブリング初期化パラメータ（Ｓｃｒａｍｂｌｉｎｇ  ｉｎｉｔｉａｌｉｚａｔｉｏｎ  ｐａｒａｍｅｔｅｒ）と同一である。一例で、スクランブリング初期化パラメータは、ＣＳＩ−ＲＳスクランブリング初期化（０−５０３、総９ビット）で物理的セルＩＤを代替する仮想セルＩＤである。
【００９４】
−他の下位−方法（下位−方法Ｂ）で、ＩＤは、ＲｅｓｏｕｒｃｅＣｏｎｆｉｇ及びＳｕｂｆｒａｍｅＣｏｎｆｉｇの関数である。
【００９５】
一例として、ＴＰ  ＩＤ＝２５、及び総１３ビットを生成するＳｕｂｆｒａｍｅＣｏｎｆｉｇ＋ＲｅｓｏｕｒｃｅＣｏｎｆｉｇ。他の例として、ＴＰ  ＩＤ＝｛ｍａｘ＿ｓｉｚｅ＿ｏｆ＿ＲｅｓｏｕｒｃｅＣｏｎｆｉｇ｝、ＳｕｂｆｒａｍｅＣｏｎｆｉｇ＋ＲｅｓｏｕｒｃｅＣｏｎｆｉｇ、これは、一例で３２に該当する、及び総１３ビットを生成するためのＳｕｂｆｒａｍｅＣｏｎｆｉｇ＋ＲｅｓｏｕｒｃｅＣｏｎｆｉｇ。他の例として、ＴＰ  ＩＤ＝２８、及び総１３ビットを生成するためのＲｅｓｏｕｒｃｅＣｏｎｆｉｇ＋ＳｕｂｆｒａｍｅＣｏｎｆｉｇ。他の例として、ＴＰ  ＩＤ＝｛ｍａｘ＿ｓｉｚｅ＿ｏｆ＿ＲｅｓｏｕｒｃｅＣｏｎｆｉｇ｝、ＲｅｓｏｕｒｃｅＣｏｎｆｉｇ＋ＳｕｂｆｒａｍｅＣｏｎｆｉｇ、これは、一例で１５５に該当する、総１３ビットに対するＲｅｓｏｕｒｃｅＣｏｎｆｉｇ＋ＳｕｂｆｒａｍｅＣｏｎｆｉｇ、ＲｅｓｏｕｒｃｅＣｏｎｆｉｇは、３２可能な構成の最大値を有し、ＳｕｂｆｒａｍｅＣｏｎｆｉｇは、ＴＳ  ３６．２１１  Ｖ１０．４．０の表６．１０．５．２−１及び表６．１０．５．３−１によって１５５可能な構成の最大値を有することに注目されたい。
【００９６】
前記の例で、ＴＰ  ＩＤは、ＣＳＩ−ＲＳアンテナポートの数（ＡｎｔｅｎｎａＰｏｒｔｓＣｏｕｎｔ）から独立的に定義される。この下位−方法の１つの変形で、ＴＰ  ＩＤ定義は、ＣＳＩ−ＲＳアンテナポートの異なる数に対して異なる。例えば、例１及び例２は、１または２  ＣＳＩ−ＲＳアンテナポートに関するものである。
【００９７】
４  ＣＳＩ−ＲＳアンテナポートに対して、ＴＰ  ＩＤは、例えば、ＴＰ  ＩＤ＝２４及び総１２ビットを生成するためのＳｕｂｆｒａｍｅＣｏｎｆｉｇ＋ＲｅｓｏｕｒｃｅＣｏｎｆｉｇであり、ＲｅｓｏｕｒｃｅＣｏｎｆｉｇは、４ＣＳＩ−ＲＳアンテナポートに対するＴＳ  ３６．２１１  Ｖ１０．４．０の表６．１０．５．２−１によって１６可能な構成（４ビット）を有し、ＳｕｂｆｒａｍｅＣｏｎｆｉｇの範囲は、０−１５４（ＴＳ  ３６．２１１  Ｖ１０．４．０の表６．１０．５．３−１によって）である。
【００９８】
８  ＣＳＩ−ＲＳアンテナポートに対して、ＴＰ  ＩＤは、例えば、ＴＰ  ＩＤ＝２３及び総１２ビットを生成するためのＳｕｂｆｒａｍｅＣｏｎｆｉｇ＋ＲｅｓｏｕｒｃｅＣｏｎｆｉｇであり、ＲｅｓｏｕｒｃｅＣｏｎｆｉｇは、  ８  ＣＳＩ−ＲＳアンテナポートに対するＴＳ  ３６．２１１  Ｖ１０．４．０の表６．１０．５．２−１によって８可能な構成（３ビット）を有し、ＳｕｂｆｒａｍｅＣｏｎｆｉｇの範囲は０−１５４（ＴＳ  ３６．２１１  Ｖ１０．４．０の表６．１０．５．３−１によって）である。もし、ＴＰのブラインド検出及びそれらの連関されたＣＳＩ−ＲＳ資源がＵＥによって支援されれば、ＵＥにＣＳＩ−ＲＳアンテナポートの数を知らせるためのさらに高い階層シグナリング（例えば、ＲＲＣシグナリングによって）がＣＳＩ−ＲＳ資源の明示的な構成が使用可能ではないとき、ネットワークによって提供されることができる。
【００９９】
他の下位−方法（すなわち、下位−方法Ｃ）で、ＩＤは、ＲｅｓｏｕｒｃｅＣｏｎｆｉｇ、ＳｕｂｆｒａｍｅＣｏｎｆｉｇ及びＡｎｔｅｎｎａＰｏｒｔｓＣｏｕｎｔの関数である。一例で、ＴＰ  ＩＤ＝２７及びＳｕｂｆｒａｍｅＣｏｎｆｉｇ＋２２。総１５ビットを生成するためのＲｅｓｏｕｒｃｅＣｏｎｆｉｇ＋ＡｎｔｅｎｎａＰｏｒｔｓＣｏｕｎｔである。他の例で、ＴＰ  ＩＤ＝２１０及びＲｅｓｏｕｒｃｅＣｏｎｆｉｇ＋２２。総１５ビットを生成するためのＳｕｂｆｒａｍｅＣｏｎｆｉｇ＋ＡｎｔｅｎｎａＰｏｒｔｓＣｏｕｎｔである。
【０１００】
他の下位−方法（下位−方法Ｄ）で、ＩＤは、ＲｅｓｏｕｒｃｅＣｏｎｆｉｇ、ＳｕｂｆｒａｍｅＣｏｎｆｉｇ及びスクランブリング初期化パラメータの関数である。一例で、ＴＰ  ＩＤ＝２１４及びＳｕｂｆｒａｍｅＣｏｎｆｉｇ＋２９。総２２ビットを生成するためのＲｅｓｏｕｒｃｅＣｏｎｆｉｇ＋スクランブリング初期化パラメータである。他の例で、ＴＰ  ＩＤ＝２１７及びＲｅｓｏｕｒｃｅＣｏｎｆｉｇ＋２９。総２２ビットを生成するためのＳｕｂｆｒａｍｅＣｏｎｆｉｇ＋スクランブリング初期化パラメータである。また、他の例で、効果的なＴＰ  ＩＤは、パラメータ値の対で表示され、例えば、第１パラメータは、下位−方法Ｂから誘導されたもののようなＴＰ  ＩＤであり、第２パラメータは、スクランブリング初期化パラメータである。
【０１０１】
他の下位−方法（下位−方法Ｅ）で、ＩＤは、ＲｅｓｏｕｒｃｅＣｏｎｆｉｇ、ＳｕｂｆｒａｍｅＣｏｎｆｉｇ及びスクランブリング初期化パラメータ及びＡｎｔｅｎｎａＰｏｒｔｓＣｏｕｎｔの関数である。一例で、ＴＰ  ＩＤ＝２１６、ＳｕｂｆｒａｍｅＣｏｎｆｉｇ＋２１１。ＲｅｓｏｕｒｃｅＣｏｎｆｉｇ＋２２、及び総２４ビットを生成するためのスクランブリング初期化パラメータ＋ＡｎｔｅｎｎａＰｏｒｔｓＣｏｕｎｔである。他の例で、ＴＰ  ＩＤ＝２１９、ＲｅｓｏｕｒｃｅＣｏｎｆｉｇ＋２１１、ＳｕｂｆｒａｍｅＣｏｎｆｉｇ＋２２。総２４ビットを生成するためのスクランブリング初期化パラメータ＋ＡｎｔｅｎｎａＰｏｒｔｓＣｏｕｎｔである。また、他の例で、効果的なＴＰ  ＩＤは、パラメータ値の対によって表示され、例えば、第１パラメータは、下位−方法Ｃから誘導されたもののようなＴＰ  ＩＤであり、第２パラメータは、スクランブリング初期化パラメータである。前記例の他の明白な変更が可能であり、例えば、数式のパラメータの順序のスイッチングが可能であることに注目されたい。
【０１０２】
ＣＲＭ測定の構成によって、ＵＥは、ＣＳＩ−ＲＳ資源を測定し、もし構成された報告基準を通過すれば、報告のために使用されたＣＳＩ−ＲＳ資源／ＴＰのＩＤが前記方法を使用して決定される。ＣＲＭ集合からＴＰをリリースするとき、ネットワークは、ＴＰ  ＩＤが除去されるようにシグナリングすることができ、ＵＥは、ＣＳＩ−ＲＳ資源が前記方法を使用してＣＲＭ集合から除去されるようにＣＳＩ−ＲＳ資源を誘導することができる。
【０１０３】
ＵＥが特定イベントまたは報告をトリガーしたＴＰのトラックを維持することができるようにするのために、特定イベントまたは報告をトリガーしたＴＰは、ＴＰｓＴｒｉｇｇｅｒｅｄＬｉｓｔと呼ばれることができるリストでＵＥによって格納される。新しいＴＰがイベント進入条件または離脱条件を満足させるとき、報告がトリガーされる。イベントの進入条件を通過したすべてのＴＰは、それらが離脱条件を通過するまでＴＰｓＴｒｉｇｇｅｒｅｄＬｉｓｔにＵＥによって格納される。報告がトリガーされるとき、ＴＰｓＴｒｉｇｇｅｒｅｄＬｉｓｔにあるすべてのＴＰは、ＴＰの最大数までになり、ＴＰの最大数は、あらかじめ定義されるかまたはネットワークによって構成可能である。それぞれのＴＰｄに対する測定結果は、そのＴＰ  ＩＤ及びＣＳＩ−ＲＳＲＰを含む。
【０１０４】
ＲＲＭ測定のリリース８、９及び１０で、Ｌ３フィルタリングは、数６によってＬ１測定結果に適用される：
【０１０５】
【数６】
2014534667.tif 000004
【０１０６】
ここで、Ｍｎは、物理的階層からの最終受信された測定結果である。Ｆｎは、報告基準の評価のためにまたは測定報告のために使用される更新されフィルタリングされた測定結果である。Ｆｎ−１は、古いフィルタリングされた測定結果であり、ここで、物理的階層からの第１測定結果が受信されるとき、Ｆ０は、Ｍ１に設定される。ａ＝１／２（ｋ／４）であり、ここで、ｋは、ｑｕａｎｔｉｔｙＣｏｎｆｉｇにより受信された相当する測定量に対するフィルタ係数（ｆｉｌｔｅｒＣｏｅｆｆｉｃｅｎｔ）である。
【０１０７】
−ＣＲＭ測定に対して：１つのオプションで、Ｌ３フィルタリングは、ＣＲＭ測定のためにディスエイブル（ｄｉｓａｂｌｅ）されるか（ｋは、常時０）または除去される。他のオプションで、Ｌ３フィルタリングは、ＣＲＭのために相変らず適用されることができ、ＲＲＭのために適用される手続は、次の代案で示されるように再使用される：
【０１０８】
代案１：ＣＲＭのためのＬ３フィルタリングがなし。
＊これは、実行及びテスト努力を節約する。
＊これは、ＫがＣＲＭのために０に固定されるように明示することによって実現される。
【０１０９】
代案２：Ｌ３フィルタリングは、ＣＲＭのために適用することができる。
＊これは、測定スパイク（ｍｅａｓｕｒｅｍｅｎｔ  ｓｐｉｋｅ）を避けるのに有益である。
＊Ｌ３フィルタリングのためのサンプリング速度（例えば、４００ｍｓ、８００ｍｓなど）は、ＲＲＭＬ３フィルタリングのためのサンプリング速度と異なる。
＊ＣＲＭのためのＲＲＣで構成されたＬ３フィルタリングパラメータ（ｆｉｌｔｅｒＣｏｅｆｆｉｃｉｅｎｔ）は、デフォルト値を含む、ＲＲＭのためのフィルタリングパラメータと異なる（すなわち、独立的な構成）（例えば、ＲＲＭのためのデフォルトｆｉｌｔｅｒＣｏｅｆｆｉｃｉｅｎｔはｋ＝４であり、ＣＲＭのためのデフォルトｆｉｌｔｅｒＣｏｆｆｉｃｉｅｎｔはＫ＝０である）。
【０１１０】
ＣＳＩ−ＲＳＲＰは、ただＲＲＣ＿ＣＯＮＮＥＣＴＥＤイントラ−周波数だけに対して適用することができると仮定する。もしＣｏＭＰが搬送波集成（ｃａｒｒｉｅｒ  ａｇｇｒｅｇａｔｉｏｎ）と一緒に構成されていれば、ＣｏＭＰは、またＳＣｅｌｌで動作する。いくつかの実施例で、ＳＣｅｌｌ上でＣＲＭ測定のためのＵＥ動作のために次の方法が使用される：
【０１１１】
第１方法で、もしＳＣｅｌｌに対するＣＲＭが構成されれば、ＳＣｅｌｌが活性化されるとき、報告だけでなく、ＣＲＭ測定が実行されることができる。
【０１１２】
＊この方法は、ＳＣｅｌｌが非活性化されるとき、ＵＥがＣＳＩ−ＲＳを測定するように要求されないので、ＵＥに対する最大電力節約を許容する。
【０１１３】
＊ＳＣｅｌｌが非活性化されるとき、ＣＲＭ構成は、リリースされないことがある。これは、ＣＲＭのためのＲＲＣ再構成がＳＣｅｌｌの再活性化時に不要であることを意味する。
【０１１４】
第２方法で、もしＳＣｅｌｌに対するＣＲＭが構成されれば、ＳＣｅｌｌが非活性化されるとき、ＣＲＭ測定がまた実行されることができる。ＣＲＭ報告（ＣＲＭｒｅｐｏｒｔｉｎｇ）は実行されない。
【０１１５】
＊この方法は、ＳＣｅｌｌが非活性化されたときにも、ＣＳＩ−ＲＳ測定がＵＥによって実行されるように要求し、これは、ＳＣｅｌｌが再活性化された後に報告を再開するとき、測定の正確度を改善する。
【０１１６】
＊ＣｏＭＰがＳＣｅｌｌの非活性化状態中に作動せず、報告が正確でないことがあるので、報告は要求されない。
【０１１７】
＊この方法は、また、非活性化状態中の報告が不要なので、ＣＲＭ測定のためのＳＣｅｌｌに対する性能要求事項及び測定サイクルが定義されないことがあるという利点を有している。
【０１１８】
第３方法で、もしＳＣｅｌｌに対するＣＲＭが構成されれば、ＳＣｅｌｌが非活性化されるとき、報告だけでなく、ＣＲＭ測定がまた実行されることができる。
【０１１９】
＊この方法は、ＳＣｅｌｌがＳＣｅｌｌの非活性化状態中に獲得された測定報告に基づいて再活性化された後に、ネットワークによるＣｏＭＰ測定集合の早い構成／再構成を許容することができる。
【０１２０】
第４方法で、以前に説明された第１、第２及び第３方法またはこれらの部分集合は、例えば、ＲＲＣシグナリングのような、さらに高い階層シグナリングを通じてネットワークによって構成される。これは、ネットワークに対する柔軟性を極大化することができる。
【０１２１】
ＳＣｅｌｌに対するＣＲＭ測定／報告構成は、ＳＣｅｌｌが除去され／構成から除去されるとき、ＵＥによって自律的にリリースされる。他の代案で、ＳＣｅｌｌが除去され／構成から除去されるとき、ＣＲＭ測定／報告がただ停止され、すなわち、ＳＣｅｌｌに対するＣＲＭ測定／報告構成は、相変らずＵＥによって維持される。
【０１２２】
図７は、ＣｏＭＰ測定集合７０２がどんなに本発明の実施例によって多数の基地局７０６によって管理される１つ以上の測定客体７０４から生成されるかを示す他のネットワーク７００を示す。図７に示された測定客体７０４は、ただ説明のためのものである。他の実施例が本発明の範囲を逸脱することなく使用されることができる。
【０１２３】
一実施例で、信号品質測定は、１つ以上の代案に基づくＣＳＩ−ＲＳ測定（例えば、ＲＳＲＰ）に基づく。１つの代案で、ＣＳＩ−ＲＳに基づくＴＰに対する信号品質決定のために、ＣＳＩ−ＲＳポート１５が使用される。他の代案で、ＣＳＩ−ＲＳに基づくＴＰに対する信号品質決定のために、ＣＳＩ−ＲＳポート１５が使用される。もしＵＥがポート１６が利用可能であると確実に検出することができれば、ＵＥは、信号品質を決定するためにポート１５に追加し、ポート１６を使用する。他の代案で、ＣＳＩ−ＲＳに基づくＴＰに対する信号品質決定のために、（ＴＰと連関された）すべての利用可能なＣＳＩ−ＲＳポートが使用される。したがって、さらに正確なＲＳＲＰ結果の利益がＴＰに対するＣＳＩ−ＲＳ密度が低い場合に生成される。
【０１２４】
一実施例で、ネットワークは、タイプ−２  ＲＲＭ測定のための測定報告トリガリングのための基準を構成する。イベントがトリガーされるとき、ＵＥは、１つ以上の適用可能なＴＰに対する測定結果を報告し、すなわち報告のための条件が成就される。１つ以上のイベントなどが使用されることができる。第１イベントは、ＴＰが基準ＴＰ（ｒｅｆｅｒｅｎｃｅ  ＴＰ）よりさらに良好なオフセットを有するように増加する所を含む。この方式で、ＵＥは、もしＴＰの信号品質がセルに進入するＵＥのように基準ＴＰの信号品質内のオフセットを有するか、セルを離脱するＵＥのように基準ＴＰの信号品質よりさらに悪いオフセットを有すれば、報告をする。もし基準ＴＰがネットワークによって構成されれば、ＴＰの信号品質が（例えば、最も強いＴＰを検出するために）基準ＴＰの信号品質よりさらに良好な少しのオフセットを有すれば、このイベントは、また報告するために使用されることができる。
【０１２５】
基準ＴＰは、１つ以上の代案によって決定される。第１代案で、最も強いＴＰ（ＣＳＩ−ＲＳに基づいて測定された最も高いＲＳＲＰ値を有するＴＰ）は、ＵＥによって決定される。ＴＰが基準ＴＰを超過して増加するとき、最も強いＴＰは、イベントに隷属され、最も強いＴＰは、また自動的にイベントをトリガーする。選択的に、制限がその上でＴＰがＵＥによって最も強いＴＰとして見なされるネットワークによって賦課され、例えば、ＴＰは、ＴＰ／セルの指示されたリストに属するか、またはＴＰは、セルに属する。これは、適しないＴＰ、例えば、ＣｏＭＰに参加することができないＴＰが最も強いＴＰとして考慮されることから排除されるように許容する。この制限は、このイベント下で最も強いＴＰと比較するために考慮されるＴＰに適用される必要がない（例えば、ｅＮＢ間／セル間ハンドオーバーまたは後進的ｅＮＢ間／セル間の調整のためのＴＰ選択を助けるために）。選択的に、もし最も強いＴＰを追跡するために最も強いｙ  ＴＰで変更のあるイベントがまた定義されれば、イベントのための報告がトリガーされ、伝送された後に、ただ最も強いＴＰだけが変更されることができる。
【０１２６】
第２代案で、特定のＴＰは、ＲＲＣによって構成される。これは、ＴＰが基準ＴＰとして見なされるネットワークを完全に制御する。ネットワークは、ＴＰの信号品質が基準ＴＰよりさらに良好な少しのマージンになるように報告されるイベントに対するＵＥ報告に基づいて基準ＴＰを（再）構成するように決定し、基準ＴＰは、ネットワークによって変更されることができる。基準ＴＰの変更により、ＲＲＭ測定のために考慮されるすべてのＴＰは、その報告条件を再評価されなければならない。
【０１２７】
進入条件と離脱条件のための１つのオプションは、それぞれ数７、及び数８によって決定されることができる：
【０１２８】
【数７】
2014534667.tif 000005
【０１２９】
【数８】
2014534667.tif 000006
【０１３０】
ここで、Ｍｃｐは、任意のオフセットを考慮しない関連したＴＰの測定結果である。Ｍｒｐは、任意のオフセットを考慮しない基準ＴＰの測定結果である。Ｈｙｓは、このイベントに対するヒステリシスパラメータ（ｈｙｓｔｅｒｅｓｉｓ  ｐａｒａｍｅｔｅｒ）である。Ｏｆｆは、このイベントに対するオフセットパラメータ（例えば、Ｏｆｆは、−ｘ１  ｄＢから＋Ｘ２  ｄＢまで範囲の実数（ｒｅａｌ  ｎｕｍｂｅｒ）であるか、またはＯｆｆは、もし基準ＴＰが最も強いＴＰとして定義されれば、さらに有用な−ｘ１  ｄＢから−ｘ  ２ｄＢまで範囲の負の実数値）である。Ｍｃｐ及びＭｒｐは、ＲＳＲＰの場合にｄＢｍで表示されるか、またはＲＳＲＱの場合に、ｄＢで表示される。追加的に、Ｈｙｓ及びＯｆｆは、ｄＢで表示される。
【０１３１】
他のオプションで、ＴＰオフセット及び／またはセル特定オフセットは、また、それぞれ数式９及び数式１０に表示されたように、ＴＰ特定微細調整（ＴＰ−ｓｐｅｃｉｆｉｃ  ｆｉｎｅ−ｔｕｎｉｎｇ）及び進入条件と離脱条件を許容するように含まれる：
【０１３２】
【数９】
2014534667.tif 000007
【０１３３】
【数１０】
2014534667.tif 000008
【０１３４】
ここで、Ｍｃｐが任意のオフセットを考慮しない関連したＴＰの測定結果である。Ｏｐｃｐは、関連したＴＰのＴＰ特定オフセット、またはセル特定オフセットまたは（ＴＰ特定オフセット＋セル特定オフセット）である。Ｍｒｐは、任意のオフセットを考慮しない基準ＴＰの測定結果である。Ｏｐｒｐは、基準ＴＰのＴＰのＴＰ特定オフセット、またはセル特定オフセットまたは（ＴＰ特定オフセット＋セル特定オフセット）である。Ｈｙｓは、イベントに対するヒステリシスパラメータである。Ｏｆｆは、このイベントに対するオフセットパラメータ（例えば、Ｏｆｆは、−ｘ１  ｄＢから＋ｘ２  ｄＢまで範囲の実数であることができるか、または、Ｏｆｆは、もし基準ＴＰが最も強いＴＰとして定義されれば、さらに有用な−ｘ１  ｄＢから−ｘ２  ｄＢまで範囲の負の実数値）である。Ｍｃｐ及びＭｒｐは、ＲＳＲＰの場合、ｄＢｍで表示されるか、またはＲＳＲＱの場合、ｄＢで表示される。Ｏｐｃｐ、Ｏｐｒｐ、Ｈｙｓ、及びＯｆｆは、ｄＢで表示される。
【０１３５】
もし基準ＴＰが最も強いＴＰなら、以前に言及されたように、基準ＴＰは、また、ＴＰの信号品質が基準ＴＰよりさらに良好な少しのマージンになるように報告されるイベントをトリガーすることができる。この場合に、条件：Ｈｙｓ＞Ｏｆｆは、最も強いＴＰが報告されるように保証されるようにするために満足されなければならない（すなわち、ネットワーク構成による保証される）。もし基準ＴＰが最も強いＴＰなら、Ｏｆｆは、負の値のみを取ることができることに注目されたい。
【０１３６】
イベントのトリガー時に、ＵＥは、測定報告手続を開始することを含むことができる測定報告を伝送する。測定報告は、イベント及びその（それらの）相当する測定結果、例えば、ＲＳＲＰ、及び基準ＴＰのＩＤ及び相当する測定結果、例えばＲＳＲＰをトリガーしたＴＰのＩＤを含む。例えば、もし基準ＴＰがＲＲＣ構成なら、基準ＴＰのＩＤは、不要なことがある。
【０１３７】
図８は、異なるオフセット値を有する多数のイベント８０４がどんなに本発明の実施例によって構成されるかを示す例示的な測定客体８０２を示す。図８に示された測定客体８０２は、ただ説明のためのものである。他の実施例が本発明の範囲を逸脱することなく使用されることができる。
【０１３８】
図示された特定例で、測定客体８０２は、第１イベントが第１オフセットによって生成され、第２イベントは、第１オフセットと異なる第２オフセットによって生成される２つの別途のイベント８０４を生成する。この方式で、ＴＰは、異なる信号品質水準によってＵＥによって分類される。
【０１３９】
ＵＥは、ＣｏＭＰ測定集合の管理とともにＥ−ＵＴＲＡＮを支援するために測定及び報告を実行するように構成される。特に、ＵＥは、また、ＣｏＭＰ資源管理（ＣＲＭ）集合と呼ばれる、ＣＳＩ−ＲＳ資源の集合に対するＣＳＩ−ＲＳＲＰを測定し、ＣＳＩ−ＲＳＲＰ測定を報告するように構成される。ＣｏＭＰ資源管理集合に対する測定及び報告は、一般的に既存の移動性測定及び報告手続から独立的である。いくつかの実施例で、Ｅ−ＵＴＲＡＮは、また、ＣｏＭＰ測定集合を管理するとき、移動性測定またはＳＲＳのような他の測定を考慮する。
【０１４０】
ＣＲＭ集合に対するＣＳＩ−ＲＳ資源構成（ＣＳＩ−ＲＳ  ｒｅｓｏｕｒｃｅ  ｃｏｎｆｉｇｕｒａｔｉｏｎ）については：（ｉ）ＵＥは、Ｅ−ＵＴＲＡＮによって明示的に構成されるＣＳＩ−ＲＳ資源に関する測定及び報告のみをするように要求され、すなわち、ＵＥは、ＣＳＩ−ＲＳ資源を自律的に検出するように要求されず、（ｉｉ）ＣＲＭ集合内のＣＳＩ−ＲＳ資源は、ＣｏＭＰ測定集合のＣＳＩ−ＲＳ資源から独立的に構成され、（ｉｉｉ）ＣＲＭ集合は、測定客体の一部として構成される。
【０１４１】
ＣＲＭ集合に対する測定報告については：（ｉ）ＵＥは、ＣＳＩ−ＲＳＲＰ測定結果を提供し、（ｉｉ）少なくとも周期的及び／またはイベントトリガーされた報告が支援され、（ｉｉｉ）イベントトリガーは、絶対的であるか（すなわち、測定結果を限界値と比較する）、相対的である（すなわち、測定結果を他のＣＳＩ−ＲＳ資源、例えば、ＣＲＭ集合内の最上のＣＳＩ−ＲＳ資源の測定結果と比較する）。一般的に、ｃｅｌｌｓＴｒｉｇｇｅｒｅｄＬｉｓｔに類似のＣＳＩ−ＲＳｓＴｒｉｇｇｅｒｅｄＬｉｓｔが存在すると仮定する。また、新しいＣＳＩ−ＲＳ資源がイベント進入条件を満足させるとき、報告がトリガーされる。イベントの進入条件を通過したすべてのＣＳＩ−ＲＳ資源がそれらが離脱条件を通過するまでＣＳＩ−ＲＳｓＴｒｉｇｇｅｒｅｄＬｉｓｔにＵＥによって格納される。報告は、ＣＳＩ−ＲＳ資源の構成された最大数までＣＳＩ−ＲＳｓＴｒｉｇｇｅｒｅｄＬｉｓｔ内にすべてのＣＳＩ−ＲＳを含む。
【０１４２】
報告トリガリングは、イベントＣ１（すなわち、ＣＳＩ−ＲＳ資源が限界値よりさらに良好になる）及びイベントＣ２（すなわち、ＣＳＩＲＳ資源がＣＲＭマイナスオフセットで最上のＣＳＩ−ＲＳ資源よりさらに良好になる）を含む。他の報告トリガリングイベントは、イベントＣ３（すなわち、ＣＳＩ−ＲＳ資源は、構成された基準ＣＳＩ−ＲＳ資源より良好なオフセットになる）、イベントＣ４（すなわち、ＣＳＩ−ＲＳ資源は、限界値よりさらに悪くなる）、イベントＣ５（すなわち、最上のＮＣＳＩ−ＲＳ資源が変更され、Ｎは、あらかじめ構成された数字である）、イベントＣ５ａ（すなわち、限界値よりさらに良好な最上のＮ  ＣＳＩ−ＲＳ資源が変更され、Ｎは、あらかじめ構成された数字）、イベントＣ６（すなわち、候補ＣＳＩ−ＲＳ資源の測定結果が最悪の基準ＣＳＩ−ＲＳ資源の測定結果よりさらに良好なオフセットになる）、及びイベントＣ７（すなわち、ＣＳＩ−ＲＳ資源は、基準集合内のＣＳＩ−ＲＳ資源中のいずれか１つの資源よりさらに良好になる）を含むことができるが、これらに限定されない。
【０１４３】
イベントＣ１に対する進入条件及び離脱条件は、それぞれ数式１及び２によって動作することができる：
【０１４４】
【数１】
2014534667.tif 000009
【０１４５】
【数２】
2014534667.tif 000010
【０１４６】
ここで、Ｍｃｐは、ターゲットＣＳＩ−ＲＳ資源（ＣＳＩ−ＲＳＲＰに対するｄＢｍ）の測定結果であり、Ｈｙｓは、このイベント（ｄＢ）に対するヒステリシスパラメータであり、Ｔｈｒｅｓｈは、このイベント（ｄＢ）に対するオフセットパラメータであり、Ｏｐｃｐは、ターゲットＣＳＩ−ＲＳ資源のオフセットである。
【０１４７】
イベントＣ２に対する進入条件及び離脱条件は、それぞれ数式３及び４によって動作することができる：
【０１４８】
【数３】
2014534667.tif 000011
【０１４９】
【数４】
2014534667.tif 000012
【０１５０】
ここで、Ｍｃｐは、ターゲットＣＳＩ−ＲＳ資源（ＣＳＩ−ＲＳＲＰに対するｄＢｍ）の測定結果であり、Ｍｒｐは、最も強いＣＳＩ−ＲＳ資源（ＣＳＩ−ＲＳＲＰに対するｄＢｍ）の測定結果であり、Ｈｙｓは、このイベント（ｄＢ）に対するヒステリシスパラメータであり、Ｏｆｆは、（正の値を取る）このイベント（ｄＢ）に対するオフセットパラメータであり、Ｏｐｃｐは、ターゲットＣＳＩ−ＲＳ資源のオフセットであり、Ｏｐｒｐは、最も強いＣＳＩ−ＲＳ資源のオフセットである。
【０１５１】
最上の資源は、最も高いＣＳＩ−ＲＳＲＰ値を提供するＣＳＩ−ＲＳ資源であり、評価時にＵＥによって決定される；ＵＥは、最上の資源のトラックを維持する。
【０１５２】
現在のＣＳＩ−ＲＳ資源トリガーされたリストにない新しいＣＳＩ−ＲＳ資源が評価時に最上の資源になるとき（空のリスト（ｅｍｐｔｙ  ｌｉｓｔ）の場合、すなわち、第１構成を含む）、イベントＣ２がトリガーされる。これは、最上の資源がまた評価される候補資源だからである。この場合に、進入条件は、次のように減少する：Ｍｃｐ＝Ｍｒｐ及びＯｐｃｐ＝Ｏｐｒｐなので、Ｈｙｓ＜Ｏｆｆ。したがって、ＨｙｓがＯｆｆよりさらに小さく設定される限り、新しい最上のＣＳＩ−ＲＳ資源は、イベントをトリガーし報告される。
【０１５３】
いくつかの実施例で、ＵＥに対するイベントＣ２をトリガーするすべてのＣＳＩ−ＲＳ資源は、ＵＥ上でＣｏＭＰスキームを運営するためにネットワークによって必要であるか、好ましいと思われる最小信号強度限界値（ｍｉｎｉｍｕｍ  ｓｉｇｎａｌ  ｓｔｒｅｎｇｔｈ  ｔｈｒｅｓｈｏｌｄ）未満である。ＵＥがいくつかの調整送信ポイント（ｃｏｏｒｄｉｎａｔｉｎｇ  ｔｒａｎｓｍｉｓｓｉｏｎ  ｐｏｉｎｔ、ＴＰ）／セルのエッジ（ｅｄｇｅ）に存在し、すべてのＴＰからの信号強度が弱いとき、このシナリオが発生する。相当する測定報告がＣｏＭＰ測定集合を設定するためにネットワークによって使用されることができないので、報告は、不要なものと見られることがある。
【０１５４】
不要な測定報告を避けるために、ＣｏＭＰ資源測定集合内の最上のＣＳＩ−ＲＳ資源の信号強度に対する最小限界値、もしＣｏＭＰ資源測定集合内の最上のＣＳＩ−ＲＳ資源があらかじめ構成された限界値を満足すれば、ＵＥがただ測定結果を報告するように要求されるようにあらかじめ構成される。限界値は、ネットワークによってさらに高い階層シグナリング（例えば、無線資源制御（ＲＲＣ）シグナリングによって）によって構成されることができる。
【０１５５】
他の例で、ＣｏＭＰ資源測定集合内の二番目の最上ＣＳＩ−ＲＳ資源の信号強度に対する最小限界値は、もしＣｏＭＰ資源測定集合内の二番目の最上ＣＳＩ−ＲＳ資源があらかじめ構成された限界値を満足させれば、ＵＥがただ測定結果を報告するように要求されるようにあらかじめ構成されることができる。限界値は、ネットワークによってさらに高い階層シグナリング（例えば、ＲＲＣシグナリング）によって構成されることができる。
【０１５６】
他の例で、ＣｏＭＰ資源測定集合内のｘ−番目の最上ＣＳＩ−ＲＳ資源の信号強度に対する最小限界値は、もしＣｏＭＰ資源測定集合内のｘ−番目の最上ＣＳＩ−ＲＳ資源があらかじめ構成された限界値を満足させれば、ＵＥがただ測定結果を報告するように要求されるようにあらかじめ構成される。限界値は、ネットワークによってさらに高い階層シグナリング（例えば、ＲＲＣシグナリング）によって構成される。さらに、ｘは、ネットワークによって上位階層シグナリング（例えば、ＲＲＣシグナリング）によって構成されるか規格で固定される／あらかじめ決定される。
【０１５７】
他の例で、ＣｏＭＰ資源測定集合内のＣＳＩ−ＲＳ資源の信号強度に対する最小限界値は、もしＣｏＭＰ資源測定集合内の任意のＣＳＩ−ＲＳ資源があらかじめ構成された限界値を満足させれば、ＵＥがただ測定結果を報告するように要求されるようにあらかじめ構成される。限界値は、ネットワークによってさらに高い階層シグナリング（例えば、ＲＲＣシグナリング）によって構成される。
【０１５８】
他の例で、ＣｏＭＰ資源測定集合内のＣＳＩ−ＲＳ資源の信号強度に対する最小限界値は、もしＣｏＭＰ資源測定集合内の少なくとも２個のＣＳＩ−ＲＳ資源があらかじめ構成された限界値を満足させれば、ＵＥがただ測定結果を報告するように要求されるようにあらかじめ構成される。限界値は、ネットワークによってさらに高い階層シグナリング（例えば、ＲＲＣシグナリング）によって構成される。
【０１５９】
他の例で、ＣｏＭＰ資源測定集合内のＣＳＩ−ＲＳ資源の信号強度に対する最小限界値は、もしＣｏＭＰ資源測定集合内の少なくともｘ個のＣＳＩ−ＲＳ資源があらかじめ構成された限界値を満足させれば、ＵＥがただ測定結果を報告するように要求されるようにあらかじめ構成される。限界値は、ネットワークによってさらに高い階層シグナリング（例えば、ＲＲＣシグナリング）によって構成される。さらに、ｘは、ネットワークによってさらに高い階層シグナリング（例えば、ＲＲＣシグナリング）によって構成されるかまたは規格で固定される／あらかじめ決定される。
【０１６０】
いくつかの実施例で、ただ１つのＣＳＩ−ＲＳ資源がイベントＣ２に相当するＣＳＩ−ＲＳｓＴｒｉｇｇｅｒｅｄＬｉｓｔ内に存在する。しかし、２つ以上のＣＳＩ−ＲＳ資源がＣｏＭＰスキーム、例えば、ＤＰＳを運用するためにネットワークに対して必要であるから、ただ１つのＣＳＩ−ＲＳ資源を含むＣＳＩ−ＲＳｓＴｒｉｇｇｅｒｅｄＬｉｓｔのためのＣＳＩ−ＲＳＲＰの報告は、ＣｏＭＰに対して有益ではない。
【０１６１】
１つの方法で、不要な測定報告を防止するために、もしＣＳＩ−ＲＳｓＴｒｉｇｇｅｒｅｄＬｉｓｔ内にただ１つのＣＳＩ−ＲＳ資源がある場合、ＵＥは、測定結果を報告するように要求されない。例えば、ＣＳＩ−ＲＳｓＴｒｉｇｇｅｒｅｄＬｉｓｔは、初期に空いていて、ただ１つのＣＳＩ−ＲＳ資源に対するイベントＣ２の進入条件が満足された後に、ＵＥは、ＣＳＩ−ＲＳｓＴｒｉｇｇｅｒｅｄＬｉｓｔにＣＳＩ−ＲＳ資源を含むが、測定報告を伝送しない。他の例で、ＣＳＩ−ＲＳｓＴｒｉｇｇｅｒｅｄＬｉｓｔは、ただ１つのＣＳＩ−ＲＳ資源を初めに含む。新しい最上の資源がＣＳＩ−ＲＳｓＴｒｉｇｇｅｒｅｄＬｉｓｔに進入し、以前最上のＣＳＩ−ＲＳ資源がＣＳＩ−ＲＳｓｒｉｇｇｅｒｅｄＬｉｓｔを離脱する最上のＣＳＩ−ＲＳ資源に変化があれば（例えば、イベントＣ２がトリガーされれば）、ＵＥは、ＣＳＩ−ＲＳｓＴｒｉｇｇｅｒｅｄＬｉｓｔを更新するが、ＣＳＩ−ＲＳｓＴｒｉｇｇｅｒｅｄＬｉｓｔにただ１つのＣＳＩ−ＲＳ資源だけが相変らず存在するので、測定報告を伝送しない。
【０１６２】
他の方法は、２つ以上のＣＳＩ−ＲＳ資源が以前測定報告に対するＣＳＩ−ＲＳｓＴｒｉｇｇｅｒｅｄＬｉｓｔ内に存在すれば、ただ１つのＣＳＩ−ＲＳ資源のＣＳＩ−ＲＳｓＴｒｉｇｇｅｒｅｄＬｉｓｔが相変らずＵＥによって報告されることを除いて、以前の方法と同一である。この例の長所は、ただ１つのＣＳＩ−ＲＳ資源がＣＳＩ−ＲＳｓＴｒｉｇｇｅｒｅｄＬｉｓｔ内にあるので、ＣｏＭＰは、ＵＥに対してディスエイブルされる必要があることをネットワークが感知することができるということである。
【０１６３】
不要な測定報告を減らすための同一の方法がまたイベントＣ１及びＣ３のような他のイベントなどに適用される。他の実施例で、前記で説明された２つの方法がイベントＣ２に適用される。
【０１６４】
図９は、本発明の実施例によってＵＥ  ９００の例示的な伝送範囲を示す。図９に示されたＵＥ  ９００の測定範囲は、ただ説明のためのものである。他の実施例が本発明の範囲を逸脱することなく使用されることができる。
【０１６５】
図示のように、ＵＥ  ９００は、多様なＴＰ  ９０４’が検出されることができる空間を指示する第１範囲９０２’、及びＴＰ  ９０４’及びＴＰ９０４’’が検出されることができるさらに大きい第２範囲９０２’’を含む。第１範囲９０２’は、この例で３ｄＢであるオフセットを示す。第２範囲９０２’’は、この例で６ｄＢであるオフセットを示す。第２範囲９０２’’と連関されたオフセットがＣｏＭＰ協力集合管理を助けることに使用されるのに対し、第１範囲９０２’と連関されたオフセットは、ＣｏＭＰ測定集合管理を助けるのに使用される。  １つの特定のイベントは、ＴＰが限界値よりさらに良好になるイベントを示す。進入条件及び離脱条件に対する１つのオプションは、それぞれ数１１及び１２によって定義されることができる：
【０１６６】
【数１１】
2014534667.tif 000013
【０１６７】
【数１２】
2014534667.tif 000014
【０１６８】
ここで、Ｍｃｐは、任意のオフセットを考慮しない関連したＴＰの測定結果である。Ｈｙｓは、イベントに対するヒステリシスパラメータである。Ｔｈｒｅｓｈは、このイベントに対する限界値パラメータである。Ｍｃｐは、ＲＳＲＰの場合、ｄＢｍで表示するか、またはＲＳＲＱの場合、ｄＢで表示される。Ｈｙｓは、ｄＢで表示される。
【０１６９】
他のオプションで、ＴＰオフセット及び／またはセル特定オフセットは、またＴＰ−特定微細調整を許容するように含まれ、進入条件及び離脱条件は、それぞれ数１３及び１４によって示されたように定義される。
【０１７０】
【数１３】
2014534667.tif 000015
【０１７１】
【数１４】
2014534667.tif 000016
【０１７２】
ここで、Ｍｃｐは、任意のオフセットを考慮しない関連したＴＰの測定結果である。Ｏｐｃｐは、関連したＴＰのＴＰ特定オフセットまたはセル特定オフセットまたは（ＴＰ特定オフセット＋セル特定オフセット）である。Ｈｙｓは、このイベントに対するヒステリシスパラメータである。Ｔｈｒｅｓｈは、このイベントに対する限界値パラメータである。Ｍｃｐは、ＲＳＲＰの場合、ｄＢｍで表示されるか、またはＲＳＲＱの場合、ｄＢで表示される。Ｏｐｃｐ、Ｈｙｓは、ｄＢで表示される。
【０１７３】
限界値のような異なるパラメータ値を有する同一のイベントに対する多数の報告構成は、同一の測定客体とリンクされる。いくつかの場合、これは、ネットワークがそれぞれのＵＥに対する信号品質（ＲＳＲＰ／ＲＳＲＱ）の一定範囲を有するＴＰの集合の追跡を維持することを可能にする。この情報に基づいて、ネットワークは、ＣｏＭＰ測定集合、またはこれによっていくつかのＣｏＭＰスキーム（例えば、ＪＰまたはＣＳ／ＣＢ）に含まれなければならないＴＰを構成する。
【０１７４】
イベントのトリガー時に、ＵＥは、測定報告を伝送する。測定報告は、イベント及びその（それらの）相当する測定結果、例えば、ＲＳＲＰをトリガーするＴＰのＩＤを含む。
【０１７５】
他のイベントは、最も強いｙ  ＴＰに変化がある条件を示す。最も強いＴＰは、最も高いＲＳＲＰ値を有するＴＰである。一例で、ｙは、固定された値、例えば、１、２またはＣｏＭＰ測定集合サイズと同一のものである。他の例で、ｙは、ネットワークによって構成可能である。  最も強いＴＰがＵＥによって決定される代案を使用して、ｙ＞１の条件に対して、最も強いｙ  ＴＰのＲＳＲＰ値の順位の変化がまた報告をトリガーし；これは、ネットワークが最も強いｙ  ＴＰの信号品質のトラックを維持するように許容する。不要なトリガリングの量を減少させるために、これは、引き起こすことができる。例えば、もし最上の３個のＴＰがＣｏＭＰ測定集合に含まれた場合、ネットワークは、ＲＲＣによって報告される３個のＴＰのうち順序変更に対する心配をしなくてもよい。報告を制限する最適化は、次のうち１つ以上である：もし“順序スワップ（ｏｒｄｅｒ  ｓｗａｐ）”後にさらに良好なＴＰがさらに低いＴＰより良好なｘｄＢ（ｘ構成可能な、例えば３ｄＢ）を超過すれば、ただ順序の変更を報告し、（ｉｉ）これが既にＣｏＭＰ測定集合の一部である２ＴＰに関連すれば、変更を報告せず／しないか、（ｉｉｉ）２つが共にＣｏＭＰ測定集合内にある最も低い品質のＴＰの品質未満の品質を有する２ＴＰの品質スワップ（ｑｕａｌｉｔｙ  ｓｗａｐ）は報告されない。
【０１７６】
ＴＰに対する信号品質決定がＣＳＩ−ＲＳに基づく代案を使用して、ｙ＞１の条件に対して、最も強いｙ  ＴＰのＲＳＲＰ値の順位の変更が単独で報告をトリガーせず；これは、報告の頻度を減少させるのに有益である。
【０１７７】
ＴＰと連関されたすべての利用可能なＣＳＩ−ＲＳポートが使用される代案を使用して、ｙ＞１の条件に対して、前記で説明された２つの以前の代案は、ネットワークによって構成可能であり、このイベントは、ネットワークがＣｏＭＰ測定集合を管理するのに有用である。
【０１７８】
さらに、このイベントは、ネットワークがＣｏＭＰ測定集合として構成される最上のｙ  ＴＰを常時に認識するように許容する。もしネットワークが最も強いＴＰが知ることを希望する場合に、ｙ＝１イベントが構成されることができる。もしネットワークがＣＯＭＰ  ＪＴスキームに参加するために最も強い２ＴＰを識別することを希望する場合、最も強いｙ  ＴＰの変化がある（追加的な）イベントは、ｙ＝２で構成される。ＴＰが最も強いＴＰに含まれなければならないかを評価するために、進入条件及び離脱条件に対する１つのオプションが数１５及び１６に示されたように定義される：
【０１７９】
【数１５】
2014534667.tif 000017
【０１８０】
【数１６】
2014534667.tif 000018
【０１８１】
ここで、Ｍｃｐは、任意のオフセットを考慮しない関連したＴＰの測定結果である。Ｍｒｐは、任意のオフセットを考慮しないｙ  ＴＰの最も弱いものの測定結果である。Ｈｙｓは、このイベントに対するヒステリシスパラメータである。Ｏｆｆは、このイベントに対するオフセットパラメータである。Ｍｃｐ及びＭｒｐは、ＲＳＲＰの場合、ｄＢｍで表示され、ＲＳＲＰの場合、ｄＢで表示される。Ｈｙｓ及びＯｆｆは、ｄＢで表示される。
【０１８２】
ＴＰが最も強いｙ  ＴＰに含まれなければならないかを評価するために、他のオプションで、ＴＰオフセットは、またＴＰ特定微細−調整を許容するように含まれ、進入条件及び離脱条件は、それぞれ数１７及び１８に示されたように定義される：
【０１８３】
【数１７】
2014534667.tif 000019
【０１８４】
【数１８】
2014534667.tif 000020
【０１８５】
ここで、Ｍｃｐは、任意のオフセットを考慮しない関連したＴＰの測定結果である。Ｏｐｃｐは、関連したＴＰのＴＰ特定オフセットまたはセル特定オフセットまたは（ＴＰ特定オフセット＋セル特定オフセット）である。Ｍｒｐは、任意のオフセットを考慮しないｙ  ＴＰの最も弱いものの測定結果である。Ｏｐｒｐは、基準ＴＰのＴＰ特定オフセットまたはセル特定オフセットまたは（ＴＰ特定オフセット＋セル特定オフセット）である。Ｈｙｓは、このイベントに対するヒステリシスパラメータである。Ｏｆｆは、このイベントに対するオフセットパラメータである。Ｍｃｐ及びＭｒｐは、ＲＳＲＰの場合、ｄＢｍで表示され、またはＲＳＲＱの場合、ｄＢで表示される。Ｏｐｃｐ、Ｈｙｓ及びＯｆｆは、ｄＢで表示される。
【０１８６】
ｙ  ＴＰ中の順位が変更されたかを評価するために、Ｍｃｐが以前にさらに低い順位を有するＴＰと連関され、Ｍｒｐが以前にさらに高い順位を有するＴＰと連関される以前に定義された進入条件及び離脱条件が使用される。
【０１８７】
イベントのトリガー時に、ＵＥは、測定報告を伝送する（測定報告手続を開始する）。測定報告は、最も強いｙ  ＴＰのＩＤ、及びその（それらの）相当する測定結果、例えば、ＲＳＲＰ、及び最も強いｚ＜＝ｙ  ＴＰのＩＤ、及びその（それらの）相当する測定結果、例えば、ＲＳＲＰを含み、ここで、ｚは、ネットワークによって構成可能になることができる（例えば、ＲＲＣ）。
【０１８８】
前記で説明されたすべてのイベントなどに対して、異なるパラメータ値を有する同一のイベントの多数の報告構成がネットワークによって構成される。前記で説明されたすべてのイベントに対して、ＵＥは、進入条件が実行されるとき、測定報告を伝送する。前記で説明されたすべてのイベントに対して、ＵＥは、離脱条件が実行されるとき、測定報告を伝送する。代案として、離脱条件が実行されるとき、測定報告を伝送することが構成可能であり：‘離脱に対する報告（ｒｅｐｏｒｔ  ｏｎ  ｌｅａｖｅ）’は、ＴＰが特定離脱条件を実行するときをネットワークに通知すように構成される。選択的に、イベントの進入条件の実行時に、ＵＥは、イベント及びイベントに対する他の関連報告内容をトリガーしたＴＰの周期的な測定報告を実行するように構成される。
【０１８９】
測定報告のＴＰ  ＩＤは、ＣＳＩ−ＲＳ構成インデックス及びＣＳＩ−ＲＳサブフレーム構成インデックスによって表示されるか、またはＣＳＩ−ＲＳの構成及びＣＳＩ−ＲＳサブフレーム構成にマッピングされるＴＰインデックスによって表示される。追加的に、前記それぞれのイベントが進入条件及び離脱条件とともに説明されるが、また、進入及び離脱を別途のイベントとして定義することがまた可能である。これと関係なく、達成された機能性は、類似している。
【０１９０】
一実施例で、ネットワーク及びＵＥは、ＲＲＭ測定のために特定された数量のＴＰのトラックを維持する。この数量のＴＰがネットワークによってＣｏＭＰ協力集合として使用されることができる。ネットワークは、ＣｏＭＰ測定集合としてこのようなＴＰの部分集合を選択する。この数量のＴＰが集合ｘで表示され、これは、一般的にタイプ−２  ＲＲＭ測定集合の部分集合である。集合ｘを定義する長所は、測定イベントがまた集合ｘを参照して定義されることができるということである。
【０１９１】
集合ｘは、１つ以上の代案によって定義される。第１代案で、集合ｘは、ＣｏＭＰ測定集合（ＲＲＣで構成された）と同一である。ＣｏＭＰ測定集合が再構成されるとき、集合ｘが更新される。
【０１９２】
第２代案で、集合ｘは、最高ＲＳＲＰ／ＲＳＲＱ測定結果とともにｘ  ＴＰを含む。集合ｘは、例えば、イベントのトリガー時にネットワーク及びＵＥによって更新される。集合ｘ内のＴＰは、さらに高いＲＳＲＰ／ＲＳＲＱ値を有する集合ｘの外部の他のＴＰによって交替される。ＲＲＣは、値ｘ（集合ｘのサイズ）を構成する。
【０１９３】
第３代案で、集合ｘは、ＣｏＭＰ測定集合プラスＣｏＭＰ測定集合外部の最高ＲＳＲＰ／ＲＳＲＱ値を有するＴＰに相当するＴＰの他の集合（集合ｙ）を含む。集合ｘは、例えば、イベントのトリガー時にネットワーク及びＵＥによって更新される。集合ｙ内のＴＰは、さらに高いＲＳＲＰ／ＲＳＲＱ値を有する集合ｘの外部の他のＴＰによって交替されることができる。ＲＲＣは、ｙ値（集合ｙのサイズ）を構成する。
【０１９４】
第４代案で、集合ｘは、（例えば、ＲＲＣによって構成される）特定限界値を超過するＲＳＲＰ／ＲＳＲＱ値を有するＴＰの集合を含む。集合ｘは、例えば、イベントのトリガー時にネットワークとＵＥによって更新されることができる。そのＲＳＲＰ／ＲＳＲＱ値によって、集合ｘの外部のＴＰが追加されることができるか、集合ｘ内のＴＰが除去されることができる。
【０１９５】
第５代案で、集合ｘは、最も強いＴＰ（例えば、最も高いＲＳＲＰ／ＲＳＲＱ値）に比較される特定限界値内のＲＳＲＰ／ＲＳＲＱ値を有するＴＰの集合を含む。集合ｘは、例えば、イベントのトリガー時にネットワーク及びＵＥによって更新される。限界値は、ＲＲＣ測定によって構成される。
【０１９６】
選択的に、制限が集合ｘ内に含まれたＴＰに賦課されることができる。例えば、指示されたセルまたはセルのリストに属するＴＰだけが集合ｘに含まれる。
【０１９７】
１つの代案には、ネットワーク及びＵＥによって維持されるただ１つの集合ｘ、例えば、ＣｏＭＰ測定集合だけが存在する。他の代案で、多数の集合ｘ’がネットワーク及びＵＥによって維持され、それぞれの集合ｘは、前述したように、異なる制限に相当するか、前述したように、集合Ｘ定義の異なる代案に相当する。多数の測定客体が図６の実施例で説明されたように構成される場合、測定客体当たり１つの集合ｘが存在する。
【０１９８】
図１０は、多数のＣｏＭＰ集合Ｘ’１００６がどんなに本発明の実施例によって異なる目的のために使用されるかを示す例示的なネットワーク１０００を示す。ネットワーク１０００は、多数のＴＰ  １００４を生成する多数の基地局１００２を含む。図１０に示されたダイヤグラムは、ただ説明のためのものである。他の実施例が本発明の範囲を逸脱することなく使用されることができる。
【０１９９】
もしネットワークが集合ｘ  １００６をＣｏＭＰ協力集合として使用すれば、多数の集合ｘ’１００６は、多数のＣｏＭＰ協力集合を生成し、それぞれの協力集合は、異なる目的のために、例えば、ＣｏＭＰ測定集合１００８を決定するために、ＣＳ／ＣＢ調整集合を決定するために、またはハンドオーバー後にＣｏＭＰ測定集合選択を促進するために、使用される。
【０２００】
一実施例で、ネットワークは、タイプ−２  ＲＲＭ測定のための測定報告トリガリングのための基準を構成する。イベントがトリガーされるとき（すなわち、報告のための条件が実行されるとき）、ＵＥは、１つ以上の適用可能なＴＰに対する測定結果を報告する。この実施例で、イベントは、集合ｘを管理する目的で定義される。１つ以上の次のイベントが使用されることができる。ＴＰの信号品質が基準ＴＰよりさらに良好な一部のマージンになるように報告されるイベントとして表示される第１イベントで、集合ｘの外部のＴＰは、限界値よりさらに良好になる。進入条件及び離脱条件に対する１つのオプションがそれぞれ数１９及び２０に表示されたように定義される：
【０２０１】
【数１９】
2014534667.tif 000021
【０２０２】
【数２０】
2014534667.tif 000022
【０２０３】
ここで、Ｍｃｐは、任意のオフセットを考慮しない関連したＴＰの測定結果である。Ｈｙｓは、このイベントに対するヒステリシスパラメータである。Ｔｈｒｅｓｈは、このイベントに対する限界値パラメータである。Ｍｃｐは、ＲＳＲＰの場合、ｄＢｍで表示されるか、またはＲＳＲＱの場合、ｄＢで表示される。Ｈｙｓは、ｄＢで表示される。他のオプションで、ＴＰオフセットは、またＴＰ−特定微細調整を許容するように含まれ、進入条件及び離脱条件は、それぞれ数２１及び２２に表示されたように定義される：
【０２０４】
【数２１】
2014534667.tif 000023
【０２０５】
【数２２】
2014534667.tif 000024
【０２０６】
ここで、Ｍｃｐは、任意のオフセットを考慮しない関連したＴＰの測定結果である。Ｏｐｃｐは、関連したＴＰのＴＰ特定オフセットまたはセル特定オフセットまたは（ＴＰ特定オフセット＋セル特定オフセット）である。Ｈｙｓは、このイベントに対するヒステリシスパラメータである。Ｔｈｒｅｓｈは、このイベントに対する限界するのパラメータである。Ｍｃｐは、ＲＳＲＰの場合、ｄＢｍで表示されるか、またはＲＳＲＱの場合、ｄＢで表示される。Ｏｐｃｐ、及びＨｙｓは、ｄＢで表示される。
【０２０７】
イベントのトリガー時に、ＵＥは、測定報告開始手続きを開始することを含むことができる測定報告を伝送する。測定報告は、イベント及びその（それらの）相当する測定結果、例えば、ＲＳＲＰをトリガーしたＴＰのＩＤを含む。
【０２０８】
第２イベントで、集合ｘの外部のＴＰは、集合ｘ内の基準ＴＰよりさらに良好になるオフセットを有する。このような方式で、もし集合ｘの外部のＴＰの信号品質が（進入する）基準ＴＰの信号品質内のオフセットになるか、または（離脱する）基準ＴＰの信号品質よりさらに悪くなったオフセットになれば、ＵＥは報告することができる。
【０２０９】
集合ｘとともに、基準ＴＰは、１つ以上の代案によって機能をする。第１代案で、集合ｘ内の最も弱いＴＰ（ＣＳＩ−ＲＳに基づいて測定された最も低いＲＳＲＰ値を有するＴＰ）は、ＣｏＭＰ測定集合管理のためにチューニングされる。例えば、もし集合ｘがＣｏＭＰ測定集合なら、ＣｏＭＰ測定集合でなく、ＲＲＭ測定のために考慮されたＴＰがＣｏＭＰ測定集合からの最も悪いＴＰよりさらに良好な限界しなるオフセットを有するときは、いつでも、ＵＥはこのＴＰを報告する。
【０２１０】
このような代案を使用する実施例は、いくつかの長所を有する。例えば、もし集合ｘがＣｏＭＰ測定集合であり、指示されたイベントがＣｏＭＰ測定サイズを自体的に制限しなければ；例えば、集合ｘにあるＴＰが１つ増加するように最も低い品質ＴＰを除去せず、ＴＰをＣｏＭＰ測定集合に追加することによって、基地局は、どれほど多いＴＰがＣｏＭＰ測定集合に含まれるかを相変らず決定することができる。他の長所は、（ＰＵＣＣＨ報告に基づいて）ＣｏＭＰ測定集合から最も低い品質のＴＰを除去することによって、ＣｏＭＰ測定サイズ及び集合ｘが１ずつ減少するということを含む。また、他の長所は、ＣｏＭＰ測定集合内のＴＰの品質が異なるようになり始めれば、基地局は、ＣｏＭＰ測定集合からさらに低い品質のＴＰを除去するということを含む。それらがＣｏＭＰ測定集合に関連するとき、イベントは、それらを報告する。
【０２１１】
ＣｏＭＰ測定集合の再構成時に、イベントとともに以前に報告されたＴＰは、ＣｏＭＰ測定集合に追加される。次に、以前に報告されたＴＰがさらに報告されないように以前に報告されたＴＰは、イベントのｃｅｌｌＴｒｉｇｇｅｒｅｄＬｉｓｔから除去されることができる。ハンドオーバー時に、ｃｅｌｌｔｒｉｇｇｅｒｅｄｌｉｓｔはクリアされなければならないし、（新しい）ＲＲＭ測定集合内のすべてのＴＰは、新しいＣｏＭＰ測定集合に対する報告をするためにさらに評価される。
【０２１２】
第２代案で、集合ｘ内の特定ＴＰは、ＲＲＣによって構成される。これは、ネットワークにＴＰが基準ＴＰとして見なされる完全な制御を付与する。
【０２１３】
第３代案で、基準ＴＰは、集合ｘ内の最も強いＴＰである（例えば、ＣＳＩ−ＲＳに基づいて測定された最も高いＲＳＲＰ値を有するＴＰ）。もし集合ｘがＣｏＭＰ測定集合なら、基準ＴＰは、前述したようにチューニングされることができる。集合ｘは、ＣｏＭＰ測定集合に進入するように意図されないＴＰを含むが、ハンドオーバー後に関連性または、ＳＳＰＳに対してのような、それらの品質を継続的に認識するために基地局によって相変らず使用される。基準ＴＰの変更時に、ＲＲＭ測定のために考慮されたすべてのＴＰは、それらの報告条件のために再評価される。
【０２１４】
進入条件及び離脱条件に対する１つのオプションがそれぞれ数２３及び２４に表示されたように定義される。
【０２１５】
【数２３】
2014534667.tif 000025
【０２１６】
【数２４】
2014534667.tif 000026
【０２１７】
ここで、Ｍｃｐは、任意のオフセットを考慮しない関連したＴＰの測定結果である。Ｍｒｐは、任意のオフセットを考慮しない基準ＴＰの測定結果である。Ｈｙｓは、このイベントに対するヒステリシスパラメータである。Ｏｆｆは、このイベントに対するオフセットパラメータである。Ｍｃｐ及びＭｒｐは、ＲＳＲＰの場合、ｄＢｍで表示されるか、またはＲＳＲＱの場合、ｄＢで表示される。Ｏｐｃｐ、及びＯｆｆは、ｄＢで表示される。
【０２１８】
他のオプションで、ＴＰオフセットは、またＴＰ特定微細調整を許容するように含まれ、進入条件及び離脱条件は、それぞれ数２５及び２６に表示されたように定義される：
【０２１９】
【数２５】
2014534667.tif 000027
【０２２０】
【数２６】
2014534667.tif 000028
【０２２１】
ここで、Ｍｃｐは、任意のオフセットを考慮しない関連したＴＰの測定結果である。Ｏｐｃｐは、関連したＴＰのＴＰ特定オフセットまたはセル特定オフセットまたは（ＴＰ特定オフセット＋セル特定オフセット）である。Ｍｒｐは、任意のオフセットを考慮しない基準ＴＰの測定結果である。Ｏｐｒｐは、基準ＴＰのＴＰ特定オフセットまたはセル特定オフセットまたは（ＴＰ特定オフセット＋セル特定オフセット）である。Ｈｙｓは、このイベントに対するヒステリシスパラメータである。Ｏｆｆは、このイベントに対するオフセットパラメータである。Ｍｃｐ及びＭｒｐは、ＲＳＲＰの場合、ｄＢｍで表示されるか、またはＲＳＲＱの場合、ｄＢで表示される。Ｏｐｃｐ、Ｏｐｒｐ、Ｈｙｓ及びＯｆｆは、ｄＢで表示される。
【０２２２】
イベントのトリガー時に、ＵＥは、測定報告手続を開始することを含むことができる測定報告を伝送する。測定報告は、イベント、及びその（それらの）相当する測定結果をトリガーした、ＴＰのＩＤ及び基準ＴＰのＩＤを含む。しかし、もし基準ＴＰがＲＲＣで構成されれば、基準ＴＰのＩＤは不要なことがある。第３イベントで、集合ｘ内のＴＰは、限界値よりさらに悪くなるオフセットを有する。このような場合に、進入条件と離脱条件は、それぞれ数２７及び２８に示されたように定義される：
【０２２３】
【数２７】
2014534667.tif 000029
【０２２４】
【数２８】
2014534667.tif 000030
【０２２５】
ここで、ＭＣＰは、任意のオフセットを考慮しない関連したＴＰの測定結果である。Ｈｙｓは、このイベントに対するヒステリシスパラメータである。Ｔｈｒｅｓｈは、このイベントに対する限界値パラメータである。
【０２２６】
Ｍｃｐは、ＲＳＲＰの場合、ｄＢｍで表示されるか、またはＲＳＲＱの場合、ｄＢで表示される。Ｈｙｓは、ｄＢで表示される。
【０２２７】
イベントのトリガー時に、ＵＥは、測定報告手続を開始することを含むことができる測定報告を伝送する。測定報告は、イベント、及びその（それらの）相当する測定結果、例えばＲＳＲＰをトリガーしたＴＰのＩＤを含む。
【０２２８】
前述したすべてのイベントに対して、異なるパラメータ値を有する同一のイベントの多数の報告構成がネットワークによって構成されることができる。前述したすべてのイベントに対して、ＵＥは、進入条件が実行されるときに測定報告を伝送する。前述したすべてのイベントに対して、ＵＥは、離脱条件が実行されるときに測定報告を伝送する。代案として、離脱条件が実行されるとき、測定報告を伝送するが構成可能であり、すなわち‘離脱に対する報告（ｒｅｐｏｒｔ  ｏｎ  ｌｅａｖｅ）’条件は、ＴＰが特定離脱条件を実行するとき、ネットワークに通知するように構成されることができる。
【０２２９】
選択的に、イベントの進入条件の実行時に、ＵＥは、イベント及びイベントに対する他の関連報告内容をトリガーしたＴＰの周期的な測定報告を実行するように構成される。
【０２３０】
測定報告内でのＴＰ  ＩＤは、ＣＳＩ−ＲＳ構成インデックス及びＣＳＩ−ＲＳサブフレーム構成インデックスによって表示されるか、またはＣＳＩ−ＲＳの構成及びＣＳＩ−ＲＳサブフレーム構成にマッピングされるＴＰインデックスによって表示されることに注目されたい。
【０２３１】
一実施例で、測定報告は、ＤＣＩフォーマット（ＤＣＩ  ｆｏｒｍａｔ）で１つのビットを使用することによってのように、Ｌ１シグナリングによってトリガーされる。もし集合ｘが例えば、ＣｏＭＰ測定集合として定義されれば、集合ｘ内のすべてのＴＰに対する測定報告は、Ｌ１トリガリング時にＵＥによって伝送される。一実施例で、ハンドオーバーがターゲットセルにトリガーされるとき、ＵＥは、ターゲットセルに属するタイプ−２  ＲＲＭ測定内で（特定限界値よりさらに高いことがある）最も強いｋＴＰを報告するように要求され、ここで、ｋは、ＲＲＣによって構成されることができるかまたは固定されることができる整数である。ターゲット基地局が、例えば、ハンドオーバー後にＣｏＭＰ測定集合またはＣｏＭＰ調整集合を構成するように、結果は、ターゲット基地局に伝達される。
【０２３２】
一実施例で、ＴＰは、ＣＳＩ−ＲＳ資源で表示される。したがって、ＴＰ及びＣＳＩ−ＲＳ資源は、時には互換可能に使用される。もしネットワークが１ポートＣＳＩ−ＲＳ資源を有するＴＰだけでなく、マルチポートＣＳＩ−ＲＳ資源（例えば、２ポート）を有するＴＰとともに展開されたら、１つのポートを有するＴＰの電力は、多数のポートを有するＴＰの電力よりさらに高いことがある。例えば、もしネットワークがそれぞれのＴＰで同一の全体送信電力を完全に利用すれば、１つのポート（例えば、ポート１５）を有するＴＰの電力は、２個のポート（例えば、ポート１５＆１６）を有するＴＰの電力より３ｄＢさらに高いことがある。結果的に、ＲＳＲＰがアンテナポート当たり定義されるので、１−ポートＴＰのＲＳＲＰ測定結果は、また２−ポートＴＰより３ｄＢさらに高いことがある（ここでの仮定は、多数のポートを有するＣＳＩ−ＲＳ資源のＲＳＲＰを測定するとき、ＲＳＲＰは、多数のポートにわたって測定結果を平均することによって獲得するものである点が注目される）。しかし、他の実行の場合で、ＵＥは、常に、ＴＰのＣＳＩ−ＲＳポートの実際数に関係なく、ただ１つのＣＳＩ−ＲＳポート、ポート１５を測定する。これは、ＣｏＭＰ測定集合を決定するとき、さらに重要なすべてのポートから全体電力の比較であるから、１−ポートＴＰ及び２−ポートＴＰから測定された結果を比較するとき、３ｄＢ電力不均衡を補償することが好ましいことがある。電力の不均衡を補償するための１つの方法は、図７を参照して前述したように構成されたＴＰ特定（またはＣＳＩ−ＲＳ資源特定）オフセットのためのネットワークに関するものである。例えば、第１イベントに対する進入条件が数２９によって定義されることができる。
【０２３３】
【数２９】
2014534667.tif 000031
【０２３４】
もし（Ｍｃｐに相当する）候補ＴＰが２−ポート（またはマルチポート）ＴＰなら、Ｏｐｃｐは、３ｄＢになるように構成し、（Ｍｒｐに相当する）基準ＴＰが１−ポートＴＰなら、Ｏｐｃｐは、０ｄＢになるように構成される。さらに一般的に、もし候補ＴＰが２−ポートＴＰであり、基準ＴＰは１ポートＴＰであれば、Ｏｐｃｐ及びＯｐｒｐは、Ｏｐｃｐ−Ｏｐｒｐが３ｄＢになるように構成される。同様に、もし候補ＴＰが１−ポートＴＰであり、基準ＴＰは２ポートＴＰであれば、Ｏｐｃｐ及びＯｐｒｐは、Ｏｐｒｐ−Ｏｐｃｐが３ｄＢになるように構成される。明らかに、もし２個のＴＰが同一の数のＴＰを有していれば、Ｏｐｃｐ及びＯｐｒｐは、同一の値（例えば、０ｄＢまたは３ｄＢ）で構成される。
【０２３５】
ＴＰ−オフセットを使用する類似の補償がさらに離脱条件に対して構成されることができ、これは、簡単なので、ここで省略される。
【０２３６】
電力の不均衡は、また、数３０によって考慮されることができる。
【０２３７】
【数３０】
2014534667.tif 000032
【０２３８】
２−ポート（またはマルチポート）ＴＰに対するＯｐｃｐは、３ｄＢになるように構成され、そして１−ポートＴＰに対するＯｐｃｐは、０ｄＢになるように構成される。
【０２３９】
ＴＰオフセットを使用する類似の補償がまた離脱条件に対して構成されることができ、これは簡単なので、ここで省略される。ＴＰ間の３ｄＢ差異が例として使用されたが、一般的にネットワークが構成することを希望するＴＰ特定オフセットの値は、ネットワークによる。
【０２４０】
イベントのトリガー時に、ＵＥは、元々のＲＳＲＰ結果を伝送する。ネットワークは、これが構成するオフセットを認識するので、ネットワークは、ＴＰに対するＲＳＲＰ結果を公正に比較する。代案として、ＵＥは、またＲＳＲＰプラス（Ｈｙｓを除いた）トリガリング条件を評価するときに適用されたオフセット値を伝送することができる。この場合、ネットワークは、ＴＰに対するＲＳＲＰ結果を比較するとき、それぞれのＴＰに対するその自体のオフセット構成のトラックを維持する必要がない。
【０２４１】
電力不均衡を補償するための第２方法は、ＵＥが異なる数のＣＳＩ−ＲＳポートを有するＴＰのＣＳＩ−ＲＳ資源を測定するとき、イベントがトリガーされ、報告が伝送されなければならないかを決定するために、ＵＥが、それぞれのＣＳＩ−ＲＳ資源内のＣＳＩ−ＲＳポートの数に依存して、それぞれのＴＰに対するＲＳＲＰ結果を個別的に調整することを含む。イベントのトリガー時に、ＵＥは、補償後報告（ｒｅｐｏｒｔ  ｐｏｓｔ  ＣｏＭＰｅｎｓａｔｉｏｎ）を伝送する。代案として、ＵＥは、補償前報告（ｒｅｐｏｒｔ  ｐｒｉｏｒ  ｔｏ  ＣｏＭＰｅｎｓａｔｉｏｎ）を伝送し、この場合に、ネットワークは、公正な比較のためにＵＥによって測定された／報告されたＴＰに対するＣＳＩ−ＲＳポートの数のトラックを維持する。
【０２４２】
より具体的に、次の測定補償方法が使用されることができる。第１補償方法で、ＵＥは、１−ポートＴＰから測定されたＲＳＲＰ結果に−３ｄＢを追加するが、２−ポートＴＰ（またはマルチポートＴＰ）から測定されたＲＳＲＰ結果にこのような追加的な補償を実行しない。同等に、ＵＥは、１−ポートＴＰのためのＯｐｃｐ（またはＯｐｒｐ）を−３ｄＢに設定し、２−ポートＴＰ（またはマルチポートＴＰ）に対してＯｐｃｐ（またはＯｐｒｐ）を０ｄＢに設定する。
【０２４３】
第２補償方法で、ＵＥは、２−ポートＴＰ（またはマルチポートＴＰ）から測定されたＲＳＲＰ結果に３ｄＢを追加するが、１−ポートＴＰから測定されたＲＳＲＰ結果にこのような追加的な補償を実行しない。同等に、ＵＥは、１−ポートＴＰに対してＯｐｃｐ（またはＯｐｒｐ）を０ｄＢに設定し、２−ポートＴＰ（またはマルチポートＴＰ）に対してＯｐｃｐ（またはＯｐｒｐ）を３ｄＢに設定する。
【０２４４】
第３補償方法で、もし基準ＴＰよりさらに良好になるオフセットを有するＴＰのような測定イベントが発生すれば、ＵＥは、次のような基準ＴＰ（例えば、最も強いＴＰ）に対して比較されるターゲットＴＰに調整を行う。もし基準ＴＰが１−ポートＴＰなら、ＵＥは、２−ポートＴＰ（またはマルチポートＴＰ）から測定されたＲＳＲＰ結果に３ｄＢを追加するが、１−ポートＴＰから測定されたＲＳＲＰ結果に対してこのような追加的な補償を実行しない。同等に、ＵＥは、Ｏｐｒｐ＝０ｄＢを設定し、２−ポートＴＰに対してＯｐｃｐを３ｄＢに設定し、１ポートＴＰに対してＯｐｃｐを０ｄＢに設定する。
【０２４５】
もし基準ＴＰが２−ポートＴＰ（マルチポートＴＰ）なら、ＵＥは、１−ポートＴＰから測定されたＲＳＲＰ結果に−３ｄＢを追加するが、２−ポートＴＰ（マルチポートＴＰ）から測定されたＲＳＲＰ結果に対してこのような追加的な補償を実行しない。同等に、ＵＥは、Ｏｐｒｐ＝０ｄＢを設定し、２−ポートＴＰに対してＯｐｃｐを０ｄＢに設定し、１ポートＴＰに対してＯｐｃｐを−３ｄＢに設定する。
【０２４６】
もし基準ＴＰが最も強いＴＰとして定義されれば、ＵＥは、電力不均衡を考慮して最も強いＴＰを決定する。最も強いＴＰは、最上の効果的なＲＳＲＰ（ＲＳＲＰｅｆｆ）を有するＴＰとして定義されることができる。例えば、ＲＳＲＰｅｆｆは、次のように定義されることができる：２つ以上のＣＳＩ−ＲＳポートで構成されたＣＳＩ−ＲＳ資源に対して、ＲＳＲＰｅｆｆ＝ＲＳＲＰ＋３ｄＢ。
【０２４７】
１つのＣＳＩ−ＲＳポートで構成されたＣＳＩ−ＲＳ資源に対して、ＲＳＲＰｅｆｆ＝ＲＳＲＰ。
【０２４８】
または、２つ以上のＣＳＩ−ＲＳポートで構成されたＣＳＩ−ＲＳ資源に対して、ＲＳＲＰｅｆｆ＝ＲＳＲＰ。
【０２４９】
１つのＣＳＩ−ＲＳポートで構成されたＣＳＩ−ＲＳ資源に対して、ＲＳＲＰｅｆｆ＝ＲＳＲＰ−３ｄＢ。
【０２５０】
他の例で、最も強いＴＰのＲＳＲＰｅｆｆは、構成されたオフセットを含むことによって定義されることができ、例えば、
【０２５１】
ＲＳＲＰｅｆｆ（ｒｅｆ）＝ＭＲＰ＋Ｏｐｒｐ；
【０２５２】
そして、他のＴＰ（候補ＴＰ）のＲＳＲＰｅｆｆは、ＲＳＲＰｅｆｆ＝ＭＣＰ＋Ｏｐｃｐとして定義されることができる。
【０２５３】
電力の不均衡を補償するための第３方法は、ポートのＣＳＩ−ＲＳを測定するとき、ＵＥによって実行された電力オフセット（ｐｏｗｅｒ  ｏｆｆｓｅｔ）がＣＳＩ−ＲＳ資源構成の一部として指示されるものである。例えば、ＴＰ＃１のＣＳＩ−ＲＳ資源構成は、電力オフセット値１（ｄＢ）を含み、ＴＰ＃２のＣＳＩ−ＲＳ資源構成は、電力オフセット値２（ｄＢ）を含む。ＴＰ＃１から測定されたＲＳＲＰは、ＴＰ＃１から測定された原ＲＳＲＰ（ｄＢｍ）＋電力オフセット値１（ｄＢ）として定義され、ＴＰ＃２から測定されたＲＳＲＰは、ＴＰ＃２から測定された原ＲＳＲＰ（ｄＢｍ）＋電力オフセット値２（ｄＢ）として定義される。電力オフセット値の可能な一部の例は、｛０ｄＢ、３ｄＢ｝、｛０ｄＢ、−３ｄＢ｝または｛−３ｄＢ、０ｄＢ、３ｄＢ｝である。
【０２５４】
第３方法に対する代案の設計は、電力オフセット値がネットワークによって明示的に構成される必要がないが、関連したＣＳＩ−ＲＳ資源に対して構成されたアンテナポートの数に依存してＵＥによって誘導されることができ、すなわち、２つ以上のＣＳＩ−ＲＳポートで構成されたＣＳＩ−ＲＳ資源に対して０ｄＢ、そして１つのＣＳＩ−ＲＳポートで構成されたＣＳＩ−ＲＳ資源に対して−３ｄＢである。
【０２５５】
第３方法の例として、構成された電力オフセットを考慮するとき、ＴＰが基準ＴＰよりさらに良好になるオフセットを有するときの進入条件は、数３１に示された通りである：
【０２５６】
【数３１】
2014534667.tif 000033
【０２５７】
ここで、ＰＯｃｐは、測定された候補ＴＰに対して構成された電力オフセットであり、ＰＯｒｐは、基準ＴＰに対して構成された電力オフセットである。ここで、Ｏｐｃｐ及びＯｐｒｐは、ＴＰの電力不均衡の補償に関連がなくてもよい別途の構成可能なＴＰ特定オフセットである。
【０２５８】
ＴＰが限界値よりさらに良好になるオフセットを有するときの電力オフセットは、ＴＰのオフセットが図７を参考して前述したように基準ＴＰよりさらに良好になるときと類似している。
【０２５９】
この場合、進入条件は、数式３２に示されたように定義される。
【０２６０】
【数３２】
2014534667.tif 000034
【０２６１】
類似の数式が以前に説明されたイベントに対する離脱条件に対して示される。
【０２６２】
もし基準ＴＰが最も強いＴＰとして定義されれば、ＵＥは、構成された電力オフセットを考慮して最も強いＴＰを決定しなければならない。最も強いＴＰは、基準ＴＰのＣＳＩ−ＲＳ＋基準ＴＰに対して構成された電力オフセット値に基づいて測定されたＲＳＲＰｅｆｆ＝ＲＳＲＰによって与えられた最も高い効果的なＲＳＲＰ（ＲＳＲＰｅｆｆ）を有するＴＰとして定義されることができる。
【０２６３】
イベントのトリガー時に、ＵＥは、元々のＲＳＲＰ結果を伝送する。ネットワークがそれが構成したオフセットを認識するので、ネットワークは、ＴＰに対するＲＳＲＰ結果を公正に比較することができる。代案として、ＵＥは、ＲＳＲＰプラストリガリング条件（Ｈｙｓを除いた）を評価するときに適用されるオフセット値を伝送する。この場合に、ネットワークは、ＴＰに対するＲＳＲＰ結果を比較するとき、それぞれのＴＰに対するその自体のオフセット構成のトラックを維持する必要がない。
【０２６４】
例えば、もしそれぞれのＣＳＩ−ＲＳポートの電力がすべてのＴＰにわたって同一であれば、この実施例で説明されたＴＰの電力不均衡は発生しないことがあり、したがって、ネットワークシグナリングは、ＵＥが、例えば、ＲＲＣのようなさらに高い階層シグナリングを通じて、この実施例で説明されたように測定補償を実行ししなければならないか否かを指示するのに有益であることができる。
【０２６５】
今まで、仮定は、マルチポートを有するＣＳＩ−ＲＳ資源のＲＳＲＰを測定するとき、ＲＳＲＰは、多数のポートにわたって測定結果を平均して得られるというものである。電力不均衡を補償するための第４方法として、もしポート１５及び１６が測定のために構成されれば、ＲＳＲＰがアンテナポート１５及び１６を通じて測定された電力の和になるように、ＣＳＩ−ＲＳ測定に基づいてＲＳＲＰの定義を変更することがまた可能である。例えば、ＣＳＩ−ＲＳに対するＲＳＲＰ（ＣＳＩ−ＲＳＲＰ）が次のように定義されることができる：
【０２６６】
チャネル状態情報−基準信号受信電力（Ｃｈａｎｎｅｌ−Ｓｔａｔｅ  Ｉｎｆｏｒｍａｔｉｏｎ−Ｒｅｆｅｒｅｎｃｅ  Ｓｉｇｎａｌ  Ｒｅｃｅｉｖｅｄ  Ｐｏｗｅｒ、ＣＳＩ−ＲＳＲＰ）は、考慮された測定周波数帯域内のチャネル状態情報基準信号を伝送する資源要素の電力寄与（ｐｏｗｅｒ  ｃｏｎｔｒｉｂｕｔｉｏｎ）（［Ｗ］で）にわたった線形平均として定義される。
【０２６７】
ＣＳＩ−ＲＳＲＰに対して、ＴＳ  ３６．２１１  ＲＥＦ３によるチャネル状態情報基準信号Ｒ１５が使用される。もしＲ１６がまた構成されれば、ＵＥは、Ｒ１５から決定された測定及びＲ１６から決定された測定を合算し、ＣＳＩ−ＲＳＲＰを決定するために、Ｒ１５に追加してＲ１６を使用する。
【０２６８】
いくつかの実施例で、ＵＥは、またＣｏＭＰ測定集合と呼ばれる、ＣｏＭＰ資源の構成を有するＥ−ＵＴＲＡＮを助けるために測定報告を実行するように構成される。特に、ＵＥは、また、ＣｏＭＰ資源管理（ＣＲＭ）集合と呼ばれる、ＣＳＩ−ＲＳ資源の集合を測定し報告するように構成される。ＣｏＭＰ資源の管理は、既存の移動性測定及び手続から独立的である。Ｅ−ＵＴＲＡＮは、また、ＣｏＭＰ測定集合の管理のために移動性測定またはＳＲＳのような他の測定を使用する。
【０２６９】
ＣＲＭのためのＣＳＩ−ＲＳ資源構成に対して：
【０２７０】
＊ＵＥは、ただＥ−ＵＴＲＡＮによって明示的に構成されるＣＳＩ−ＲＳ資源に関する測定及び報告をするように要求され、すなわち、ＵＥは、自律的にＣＳＩ−ＲＳ資源を検出するように要求されない。
【０２７１】
＊ＣＲＭ集合内のＣＳＩ−ＲＳ資源は、ＣｏＭＰ測定集合から独立的に構成される
【０２７２】
＊ＣＲＭ集合は、測定客体の一部分で構成される。
【０２７３】
ＣＲＭ測定報告に対して：
【０２７４】
＊ＵＥは、ＣＳＩ−ＲＳＲＰ測定結果を提供する。
【０２７５】
＊少なくともイベント周期及び／またはトリガーされた報告が支援される。
【０２７６】
＊イベントトリガーは、絶対的であるか（すなわち、限界値と比較されるか）または相対的である（すなわち、他のＣＳＩ−ＲＳ資源、例えば、ＣＲＭ内で最高の資源と比較される）
【０２７７】
ＣＳＩ−ＲＳＲＰ測定を支援するのに必要なパラメータは、次のようにＲＡＮ１によって同意される：
【０２７８】
ＣＳＩ−ＲＳＲＰ測定の目的のために、ＣｏＭＰ資源管理集合内のそれぞれのＣＳＩ−ＲＳ資源は、次のパラメータを必要とする：
【０２７９】
＊ＡｎｔｅｎｎａＰｏｒｔｓＣｏｕｎｔ、
−ＥＮＵＭＥＲＡＴＥＤ｛ａｎ１、ａｎ２、ａｎ４、ａｎ８｝
＊ＲｅｓｏｕｒｃｅＣｏｎｆｉｇ、
−ＩＮＴＥＧＥＲ（０．．３１）
＊ＳｕｂｆｒａｍｅＣｏｎｆｉｇ、
−ＩＮＴＥＧＥＲ（０．．１５４）
＊スクランブリング初期化パラメータ
−ＩＮＴＥＧＥＲ（０．．５０３）
【０２８０】
次の実施例で、ＴＰは、ＣＳＩ−ＲＳ資源として表示される。したがって、ＴＰ及びＣＳＩ−ＲＳ資源は、たびたび相互交換可能に使用される。ＣＳＩ−ＲＳ資源は、少なくとも次のパラメータを含む：
【０２８１】
−ＡｎｔｅｎｎａＰｏｒｔｓＣｏｕｎｔ
−ＲｅｓｏｕｒｃｅＣｏｎｆｉｇ
−ＳｕｂｆｒａｍｅＣｏｎｆｉｇ
−スクランブリング初期化パラメータ
【０２８２】
図１１は、無線通信ネットワークで調整されたマルチポイント（ＣｏＭＰ）送信のためのプロセスの一例を示す。段階１１０２で、プロセスが始まる。
【０２８３】
段階１１０４で、ＵＥとともに調整されたマルチポイント（ＣｏＭＰ）送信のための候補である１つ以上のＴＰと連関された情報が受信される。一実施例で、ＵＥは、ＣＲＳに基づく測定及びＣＳＩ−ＲＳに基づく測定を同時に行う。すなわち、ＵＥは、３ＧＰＰ規格のリリース８、９及び１０によって動作する基地局だけでなく、３ＧＰＰ規格のリリース１０及び１１によって動作する基地局のＴＰの測定を実行する。
【０２８４】
一実施例で、情報は、ＵＥがただリストにあるＴＰを検出するか、測定するかまたは報告することを試みるように要求されるＴＰのリスト（すなわち、ホワイトリスト）を含む。ホワイトリストによって提供されることができる１つの特別な長所は、ＵＥが、潜在的に多いＴＰを含むことができる、リストされないＴＰを検出するか、測定するかまたは報告するように要求されないというものである。この代案は、また、特に低いジオメトリーを有するＵＥに対して大きくなることができる、ＴＰ検出の待機時間を減らすことができる。
【０２８５】
他の代案で、情報は、ＵＥがブラックリストされたＴＰを検出するか、測定するかまたは報告するように要求されないかまたは許容されないＴＰのリスト（すなわち、ブラックリスト）を追加的に含む。しかし、ＵＥは、任意の他のリストされないＴＰを検出するか、測定するか、または報告するように試みなければならない。他の代案で、情報は、ＵＥがリストされたＴＰを検出するか、測定するか、または報告することを初期に試みるように要求される優先順位リスト（ｐｒｉｏｒｉｔｙ  ｌｉｓｔ）を含む。ＵＥは、またこれを見つけることができる任意の他のリストされないＴＰを検出するか、測定するかまたは報告するように許容される。選択的に、ＴＰのブラックリストは、またＵＥがブラックリストされたＴＰを検出するか、測定するか、または報告するように要求されないかまたは許容されないように提供されることができる。
【０２８６】
段階１１０６で、チャネル品質値は、段階１１０４で指定されたＴＰそれぞれに対して測定される。いくつかの実施例で、チャネル品質値は、それぞれがＴＰの異なる集合及びそれと関連したパラメータが明示する１つ以上の品質客体によって測定される。それぞれの測定客体は、また異なる報告構成とリンクされる。これは、構成された測定客体に適用することができる測定目的によってカストマイズされることができるＵＥ測定及び報告行為を提供することができる。測定客体は、ＴＰの重畳集合を含むことができるか、または含まないこともできる。
【０２８７】
いくつかの実施例で、チャネル品質値は、ＴＰが１−ポートＴＰまたは２−ポートＴＰであるか否かによって調整される。いくつかの場合に、１−ポートＣＳＩ−ＲＳ資源を有するＴＰは、２−ポートＣＳＩ−ＲＳ資源を有するＴＰよりさらに高い出力電力で送信する。したがって、１−ポートＴＰによって提供された増加された電力出力は、２−ポートＴＰを測定するときに補償されることができる。
【０２８８】
段階１１０８で、段階１１０６で測定されたチャネル品質値はネットワークに報告される。いくつかの実施例で、ＵＥは、イベントがトリガーされるとき、すなわち、報告のための条件が実行されるとき、１つ以上の適用可能なＴＰに対する測定結果を報告する。１つ以上のイベントが使用されることができる。第１イベントは、ＴＰが基準ＴＰよりさらに良好なオフセットを有するように増加する所を含むことができる。このような方式で、もしＴＰの信号品質がセルに進入するＵＥのように基準ＴＰの信号品質内のオフセットを有するかまたはセルを離脱するＵＥのように基準ＴＰの信号品質よりさらに悪くなったオフセットを有すれば、ＵＥは、報告する。もし基準ＴＰがネットワークによって構成されれば、ＴＰの信号品質が（例えば、最も強いＴＰを検出するために）基準ＴＰの信号品質よりさらに良好な少しのオフセットを有すれば、イベントは、また報告するために使用される。他のイベントは、ＴＰが限界値よりさらに良好になるイベントを含むことができる。
【０２８９】
前述したプロセスは、ＣｏＭＰ測定プロセスの運営にわたって続く。ＣｏＭＰ測定プロセスの使用がこれ以上不要であるか、または好ましくないとき、プロセッシングは、段階１１１０で終了する。
【０２９０】
たとえ図１１は、同期信号をマッピングするための方法の例を示すが、多様な変更が図１１に対して行われることができる。例えば、直列の段階として示されるが、各図面の段階は、重畳されるか、並列で発生するか、異なる順序で発生するかまたは数回発生することができる。
【０２９１】
本発明は、例示的な実施例として説明されたが、多様な変更及び変形が本技術分野の技術者に提示されることができる。本発明は、添付の請求項の範囲内にこのような変更と変形を含むように意図される。
【符号の説明】
【０２９２】
１００  無線ネットワーク
１１６  無線加入者局
１１６  加入者局
１２０  カバレージ領域
１２５  カバレージ領域
１３０  ネットワーク
２００  送信経路
２０５  変調ブロック
２１０  並列（Ｓ−ｔｏ−Ｐ）ブロック
２１０  並列ブロック
２１５  ブロック
２２０  直列（Ｐ−ｔｏ−Ｓ）ブロック
２２０  直列ブロック
２２５  サイクリックプレフィックス追加ブロック
２３０  アップコンバータ
２５０  受信経路
２５５  ダウンコンバータ
２６０  サイクリックプレフィックス除去ブロック
２６５  並列（Ｓ−ｔｏ−Ｐ）ブロック
２６５  並列ブロック
２７０  ブロック
２７５  直列（Ｐ−ｔｏ−Ｓ）ブロック
２７５  直列ブロック
２８０  復調ブロック
３０５  アンテナ
３１０  トランシーバ
３１５  処理回路
３２０  マイクロホン
３２５  処理回路
３３０  スピーカー
３４０  メインプロセッサ
３４５  インターフェース
３５０  キーパッド
３５５  ディスプレイ
３６０  メモリ
３６１  プログラム
３６２  アプリケーション
４００  ネットワーク
４００、４１０  ネットワーク
４０２  基地局
４０４  セル
４１０  ネットワーク
４１２  基地局
４１４  トランシーバ
４１６  セル
４２０  異種ネットワーク
４２０  ネットワーク
４２２  マクロ基地局
４２４  トランシーバ
４２６  マクロセル
４２８  ピコセル（ｐｉｃｏ  ｃｅｌｌ）
４２８  ピコセル
５００  ネットワーク
５０２  測定集合
５０６  基地局
６００  ネットワーク
６０２  測定集合
６０４  測定客体
６０４  第２測定客体
６０４’  第１測定客体
６０４’  第３測定客体
６０６  基地局
７００  ネットワーク
７０２  測定集合
７０４  測定客体
７０６  基地局
８０２  測定客体
８０４  イベント
１０００  ネットワーク
１００２  基地局
１００８  測定集合
【図１】
2014534667.tif 000035
【図２Ａ】
2014534667.tif 000036
【図２Ｂ】
2014534667.tif 000037
【図３】
2014534667.tif 000038
【図４Ａ】
2014534667.tif 000039
【図４Ｂ】
2014534667.tif 000040
【図４Ｃ】
2014534667.tif 000041
【図５】
2014534667.tif 000042
【図６】
2014534667.tif 000043
【図７】
2014534667.tif 000044
【図８】
2014534667.tif 000045
【図９】
2014534667.tif 000046
【図１０】
2014534667.tif 000047
【図１１】
2014534667.tif 000048
【国際調査報告】
2014534667.tif 000049
2014534667.tif 000050